(57)【要約】【課題】発電モータのインバータ周波数回転範囲拡大と起電力増電と発電モータの機能を利用。【解決手段】強磁力ロータを配設した発電モータはインバータ周波数範囲拡大と同時に、ロータをステータヨークから押し出すとした事で、発電モータの低速回転から高速回転まで使用するとして、増量発電は１台の発電モータを回転駆動させて他の増設した発電モータは発電した起電力で次々と増設するとした発電モータの機能で、発電モータ出力端子から整流器、蓄電池、昇圧機、インバータから発電モータ入力線にと起電力を順番に循環させ入力線回転励磁コイルで消費し、発電コイルで出力した起電力を循環起電力とし蓄電池を利用した発電モータの無限動力を可能とし、回転軸の回転力は余力として利用する。【選択図】図４
2014158353.tif 000002
【特許請求の範囲】
【請求項１】
（ア）発電モータは、インバータ、油圧ポンプと油圧シリンダ、直線歯車、移動測定歯車、押しパイプと受け台、平行移動ロータ、中央穴あき扇型磁石、磁石ロータ固定金具、平行移動材、動力伝達溝、電動ファン、同場所番号コイル、蓄電池、吸引空気方向指示板、内部空冷ファン、連動材バネ、隙間材、空気誘導材、整流器、ＤＣ−ＡＣ昇圧機、回転軸動力伝達部材、多角柱、フィルタ、の機器と部材とで機能する発電モータとし、発電モータはインバータ三相２００Ｖの出力で回転駆動と発電を同時に実行するとし、発電モータを使用目的により選ぶとしたロータは、発電モータを定位置ロータとし指定した回転数と起電力とした発電モータとするか、発電モータを平行移動ロータとしインバータの特定した出力周波数範囲内を少ない消費電力で、低速から高速とした回転数と起電力とした発電モータとするか、選択する事が出来る発電モータの回転軸ロータは、中央穴あき扇型磁石ロータ、磁石挿入鉄芯ロータ、電磁石ロータ、鉄芯ロータ、かご型鉄芯ロータ、永久磁石ロータが発電モータのロータとして使用するとした発電モータの固定コイルは、奇数番号が入力線回転励磁コイルとし偶数番号は発電コイルとし、または、奇数番号は入力線回転励磁コイルとし偶数番号は同場所番号コイルとして、同場所番号コイルは外側コイルを発電コイルとし内側コイルを直列配線出力線コイルとして、発電コイルと同場所番号コイルのコイル巻き数、又、同場所番号コイルの外側コイルと内側コイルを並列配線し発電コイルとしたコイル巻き数は入力線回転励磁コイル巻き数と同じコイル巻き数とするか、又は、やや少ないコイル巻き数とするか、半分のコイル巻き数として、直列配線出力線コイルと発電コイルのコイル巻き数を減らす事で、各コイルから出力した時の出力コイル励磁を弱めロータの回転に負荷とならない様にしたコイル配設とし、発電コイルは端子台での出力の仕方は発電モータ全極数に適用されるとし、発電モータに配設された各ＵＶＷ三相発電コイルは発電コイル個々の左右銅線を左出力線と右出力線とし、全コイルを単相発電とし番号別に各出力端子台で単相出力とするか、番号別の各端子台で三相ＵＶＷ各発電コイルの同方向出力線を三本束にして中性点とし、反対方向の出力線を各端子台で三相スター結線出力とするか、各端子台でスター結線された出力端子台を一箇所に集合させて集合端子台スター結線出力とするか、集合端子台でスター結線とした中性点を外し、集合端子台でデルタ結線としデルタ出力としても良いとし、出力端子台から出力した起電力を蓄電池電圧より少し高めの電圧とした交流を整流器に通して直流に変換し、直流を電線で蓄電池と変換機器に繋ぐとした蓄電池は、鉛蓄電池、リチュムイオン蓄電池、電気二重層キャバシター、とした急速充電と普通充電とを混合した蓄電池とし、直流電圧が高めの為に蓄電池に充電状態を保ちながら直流出力をインバータもしくは直流変換機を通して、ＤＣ−ＤＣまたはＤＣ−ＡＣとして１００Ｖ、２００Ｖ、３００Ｖ、４００Ｖに昇圧した直流か交流に変換した電気で、発電モータを回転駆動させているインバータに入電し発電モータを１台、又は、２台を連動回転させ出力端子台から出力した起電力を蓄電池電圧より少し高めの電圧とした交流を、整流器に戻すとした起電力の流れを作り循環起電力とし蓄電池を利用した発電モータの無限動力を可能としたこと
（イ）記載する全ての発電モータに適用するとした発電モータの前後とコイル方向は、発電モータの回転軸動力伝達軸側を前蓋側とし、固定コイル引き出し銅線を付けるステータヨーク側を回転軸方向から見ての左右方向とし、スロット番号とコイル番号を右回り通し番号とした記載、以後は発電モータの前後とコイルとスロットの番号と左右方向の説明文と、又、各発電モータの入力線回転励磁コイルと直列配線出力線コイルを左巻きコイルと記載したが、中性点から逆に電流を流すと記載したコイル巻き方向と逆方向巻きコイルとなり、入力線回転励磁コイルと直列配線出力線コイルとした両方コイルの入力線と出力線を中性点に変更し、配設されていた中性点を入力線回転励磁コイルと直列配線出力線コイルと変更すると右巻きコイルとなり、右巻きコイルとした発電モータも出来るとして、２極発電モータの分布巻きコイルを１番から２４番のスロットに配設し同場所番号コイルとし、外側コイルを発電コイルとし内側コイルを入力線回転励磁コイルとし、三相ＵＶＷ入力線回転励磁内側１番コイルを左巻きコイルとして、三相ＵＶＷ入力線回転励磁内側２番コイルを右巻きコイルとした配設は、三相各ＵＶＷ入力線回転励磁１番コイルと三相入力線回転励磁２番コイルの、コイル巻き始め銅線を入力線とし、コイル巻き終わり銅線を中性点とし、発電コイルは各ＵＶＷ発電１番コイルと各ＵＶＷ発電２番コイルの左右銅線を左出力線と右出力線としたこと
（ウ）２極発電モータの分布巻きコイルを１番からから３６番のスロットに配設、同場所番号コイルとし内側コイルを入力線回転励磁コイルとし外側コイルを発電コイルとし、三相ＵＶＷ各入力線回転励磁１番コイルを左巻きコイル配設、三相ＵＶＷ各入力線回転励磁２番コイルを右巻きコイル配設とした三相ＵＶＷ各入力線回転励磁コイルの、巻き始め銅線を入力線とし、コイル巻き終わり銅線を中性点として、発電コイルは各ＵＶＷ発電１番コイルと各ＵＶＷ発電２番コイルの左右銅線を左出力線と右出力線としたこと
（エ）４極発電モータの分布巻きコイルを１番から２４番のスロットとしてステータヨークに配設、奇数番号を入力線回転励磁コイルで偶数番号が発電コイルとした配設は、Ｕ線入力線回転励磁１番コイル巻き始め銅線を入力線として左巻きコイルを配設し巻き終わり銅線を、３番コイルに左巻きコイルを配設し巻き終わり銅線をＵ中性点とし、Ｕ発電コイルは２番コイルと４番コイルの左右銅線を左出力線と右出力線とし、Ｖ線入力線回転励磁１番コイル巻き始め銅線を入力線とし左巻きコイル配設し巻き終わり銅線を、３番コイルに左巻きコイル配設し巻き終わり銅線をＶ中性点とし、Ｖ発電コイルは２番コイルと４番コイルの左右銅線を左出力線と右出力線とし、Ｗ入力線回転励磁１番コイル巻き始め銅線を入力線とし左巻きコイル配設し巻き終わり銅線を、３番コイルに左巻きコイル配設し巻き終わり銅線をＷ中性点とし、Ｗ発電コイルは２番コイルと４番コイルの左右銅線を左出力線と右出力線とした単相発電コイルとしたこと
（オ）４極発電モータの１相と３相が同巻きコイルで２相が逆巻きコイルとした分布巻きコイルを１番から４８番のスロットのステータヨークに配設、奇数番号コイルが入力線回転励磁コイルで偶数番号が同場所番号コイルとし、外側コイルを発電コイルとし内側コイルを直列配線出力線コイルとし、入力線回転励磁コイルと直列配線出力線コイルの１相と３相が左巻きコイルで２相が右巻きコイルとした配設は、Ｕ線入力線回転励磁１番コイル巻き始め銅線を入力線として左巻きコイル配設としコイル巻き終わり銅線を、３番コイルに左巻きコイル配設としコイル巻き終わり銅線をＵ中性点とし、Ｕ直列配線出力線２番コイル巻き始め銅線を出力線として左巻きコイル配設としコイル巻き終わり銅線を、４番コイルに左巻きコイル配設としコイル巻き終わり銅線をＵ同場所中性点とし、発電コイルは２番コイルと４番コイルの左右銅線を左出力線と右出力線とし、Ｖ線入力線回転励磁１番コイル巻き始め銅線を入力線として右巻きコイル配設とし巻き終わり銅線を、３番コイルに右巻きコイル配設とし巻き終わり銅線をＶ中性点とし、Ｖ直列配線出力線２番コイル巻き始め銅線を出力線として右巻きコイル配設としコイル巻き終わり銅線を、４番コイルに右巻きコイル配設としコイル巻き終わり銅線をＶ同場所中性点とし、Ｖ発電コイルは２番コイルと４番コイルの左右銅線を左出力線と右出力線とし、Ｗ線入力線回転励磁１番コイル巻き始め銅線を入力線として左巻きコイル配設としコイル巻き終わり銅線を、３番コイルに左巻きコイル配設としコイル巻き終わり銅線をＷ中性点とし、Ｗ直列配線出力線２番コイル巻き始め銅線を出力線として左巻きコイル配設としコイル巻き終わり銅線を４番コイルに左巻きコイル配設としコイル巻き終わり銅線をＷ同場所中性点とし、Ｗ発電コイルは２番コイルと４番コイルの左右銅線を左出力線と右出力線としたこと
（カ）４極発電モータの分布巻きコイルを１番から４８番のスロットとしてステータヨークに配設、奇数番号コイルが入力線回転励磁コイルで偶数番号コイルが同場所番号コイルとし、外側コイルを発電コイルとし内側コイルを直列配線出力線コイルとし、入力線回転励磁コイルと直列配線出力線コイルを左巻きコイルとした配設は、Ｕ線入力線回転励磁１番コイル巻き始め銅線を入力線として左巻きコイル配設としコイル巻き終わり銅線を、３番コイルに左巻きコイル配設としコイル巻き終わり銅線をＵ中性点とし、Ｕ直列配線出力線２番コイル巻き始め銅線を出力線として左巻きコイル配設してコイル巻き終わり銅線を、４番コイルに左巻きコイル配設としコイル巻き終わり銅線をＵ同場所中性点とし、Ｕ発電コイルは２番コイルと４番コイルの左右銅線を左出力線と右出力線とし、Ｖ線入力線回転励磁１番コイル巻き始め銅線を入力線として左巻きコイル配設としコイル巻き終わり銅線を、３番コイルに左巻きコイル配設としコイル巻き終わり銅線をＶ中性点とし、Ｖ直列配線出力線２番コイル巻き始め銅線を出力線として左巻きコイル配設してコイル巻き終わり銅線を、４番コイルに左巻きコイル配設としコイル巻き終わり銅線をＶ同場所中性点とし、Ｖ発電コイルは２番コイルと４番コイルの左右銅線を左出力線と右出力線とし、Ｗ線入力線回転励磁１番コイル巻き始め銅線を入力線として左巻きコイル配設としコイル巻き終わり銅線を、３番コイルに左巻きコイル配設としコイル巻き終わり銅線をＷ中性点とし、Ｗ直列配線出力線２番コイル巻き始め銅線を出力線として左巻きコイル配設としコイル巻き終わり銅線を、４番コイルに左巻きコイル配設としコイル巻き終わり銅線をＷ同場所中性点とし、発電コイルは２番コイルと４番コイルの左右銅線を左出力線と右出力線としたこと
（キ）６極発電モータの分布巻きコイルを１番から３６番のスロットとしステータヨークに配設、奇数番号が入力線回転励磁コイルで偶数番号が発電コイルとし、入力回転励磁コイルを左巻きコイルとした配設は、Ｕ線入力線回転励磁１番コイル巻き始め銅線を入力線とし左巻きコイル配設してコイル巻き終わり銅線を、３番コイルに左巻きコイル配設してコイル巻き終わり銅線を、５番コイルに左巻きコイル配設してコイル巻き終わり銅線をＵ中性点とし、Ｕ発電コイルは２番コイルと４番コイルと６番コイルの左右銅線を左出力線と右出力線とし、Ｖ線入力線回転励磁１番コイル巻き始め銅線を入力線とし左巻きコイル配設してコイル巻き終わり銅線を、３番コイルに左巻きコイル配設しコイル巻き終わり銅線を、５番コイルに左巻きコイル配設してコイル巻き終わり銅線をＶ中性点とし、Ｖ発電コイルは２番コイルト４番コイルと６番コイルの左右銅線を左出力線と右出力線とし、Ｗ線入力線回転励磁１番コイル巻き始め銅線を入力線として左巻きコイル配設してコイル巻き終わり銅線を、３番コイルに左巻きコイル配設して巻き終わり銅線を、５番コイルに左巻きコイル配設して巻き終わり銅線をＷ中性点とし、Ｗ発電コイルは２番コイルと４番コイルと６番コイルの左右銅線を左出力線と右出力線としたこと
（ク）６極発電モータの分布巻きコイルを１番から７２番のスロットとしステータヨークに配設、奇数番号が入力線回転励磁コイルで偶数番号が同場所番号コイルとし、外側コイルが発電コイルで内側コイルが直列配線出力線コイルとし、入力線回転励磁コイルと直列配線出力線コイルを左巻きコイルとした配設は、Ｕ線入力線回転励磁１番コイル巻き始め銅線を入力線とし左巻きコイル配設しコイル巻き終わり銅線を、３番コイルに左巻きコイル配設しコイル巻き終わり銅線を、５番コイルに左巻きコイル配設しコイル巻き終わり銅線をＵ中性点とし、Ｕ直列配線出力線２番コイル巻き始め銅線を出力線とし左巻きコイル配設しコイル巻き終わり銅線を、４番コイルに左巻きコイル配設しコイル巻き終わり銅線を、６番コイルに左巻きコイル配設し巻き終わり銅線をＵ同場所中性点とし、Ｕ発電コイルは２番コイルと４番コイルと６番コイルの左右銅線を左出力線と右出力線とし、Ｖ線入力線回転励磁１番コイル巻き始め銅線を入力線とし左巻きコイル配設しコイル巻き終わり銅線を、３番コイルに左巻きコイル配設しコイル巻き終わり銅線を、５番コイルに左巻きコイル配設しコイル巻き終わり銅線をＶ中性点とし、Ｖ直列配線出力線２番コイル巻き始め銅線を出力線とし左巻きコイル配設しコイル巻き終わり銅線を、４番コイルに左巻きコイル配設しコイル巻き終わり銅線を６番コイルに左巻きコイル配設しコイル巻き終わり銅線をＶ同場所中性点とし、Ｖ発電コイルは２番コイルと４番コイルと６番コイルの左右銅線を左出力線と右出力線とし、Ｗ線入力線回転励磁１番コイル巻き始め銅線を入力線とし左巻きコイル配設しコイル巻き終わり銅線を、３番コイルに左巻きコイル配設しコイル巻き終わり銅線を、５番コイルに左巻きコイル配設しコイル巻き終わり銅線をＷ中性点とし、Ｗ直列配線出力線２番コイル巻き始め銅線を出力線としコイル巻き終わり銅線を、４番コイルに左巻きコイル配設しコイル巻き終わり銅線を、６番コイルに左巻きコイル配設しコイル巻き終わり銅線をＷ同場所中性点とし、Ｗ発電コイルは２番コイルと４番コイルと６番コイルの左右銅線を左出力線と右出力線としたこと
（ケ）６極発電モータの分布巻きコイルを１番から７２番のスロットとし、１相と３相が同巻きコイルとし２相が逆巻きコイルとしたステータヨークの配設とし、奇数番号が入力線回転励磁コイルとし偶数番号コイルが同場所番号コイルとし、外側コイルを発電コイルとし内側コイルを直列配線出力線コイルとし、１相と３相を左巻きコイルとし２相を右巻きコイルとした配設は、Ｕ線入力線回転励磁１番コイル巻き始め銅線を入力線とし左巻きコイル配設しコイル巻き終わり銅線を、３番コイルに左巻きコイル配設しコイル巻き終わり銅線を、５番コイルに左巻きコイル配設しコイル巻き終わり銅線をＵ中性点とし、Ｕ直列配線出力線２番コイル巻き始め銅線を出力線とし左巻きコイル配設しコイル巻き終わり銅線を、４番コイルに左巻きコイル配設しコイル巻き終わり銅線を、６番コイルに左巻きコイル配設しコイル巻き終わり銅線をＵ同場所中性点とし、Ｕ発電コイルは２番コイルと４番コイルと６番コイルの左右銅線を左出力線と右出力線とし、Ｖ入力線回転励磁１番コイル巻き始め銅線を入力線とし右巻きコイル配設しコイル巻き終わり銅線を、５番コイルに右巻きコイル配設しコイル巻き終わり銅線を、３番コイルに右巻きコイル配設しコイル巻き終わり銅線をＶ中性点とし、Ｖ直列配線出力線２番コイル巻き始め銅線を出力線とし右巻きコイル配設しコイル巻き終わり銅線を、６番コイルに右巻きコイル配設しコイル巻き終わり銅線を、４番コイルに右巻きコイル配設しコイル巻き終わり銅線をＶ同場所中性点とし、Ｖ発電コイルは２番コイルト４番コイルと６番コイルの左右銅線を左出力線と右出力線とし、Ｗ線入力線回転励磁１番コイル巻き始め銅線を入力線とし左巻きコイル配設しコイル巻き終わり銅線を、３番コイルに左巻きコイル配設しコイル巻き終わり銅線を、５番コイルに左巻きコイル配設しコイル巻き終わり銅線をＷ中性点とし、Ｗ直列配線出力線２番コイル巻き始め銅線を出力線とし左巻きコイル配設しコイル巻き終わり銅線を、４番コイルに左巻きコイル配設しコイル巻き終わり銅線を、６番コイルに左巻きコイル配設しコイル巻き終わり銅線をＷ同場所中性点とし、Ｗ発電コイルは２番コイルと４番コイルと６番コイルの左右銅線を左出力線と右出力線としたこと
【請求項２】
（コ）請求項１に記載した発電モータを使用した増設は、奇数番号の入力線回転励磁コイルと偶数番号の発電コイル、または、奇数番号の入力線回転励磁コイルと偶数番号の同場所番号コイルとし、何台かで増設する発電モータを同じ極数とし固定コイル巻き方向も同じとした発電モータを増設とし、動力伝達回転軸側を同方向とし横一列に並べる配設とするか、２台を向かい合わせに回転軸をフランジで結合とした配設とするか、３台で三角形に配設し動力伝達回転軸側を同方向に向けて回転力を三角形の中心に集中させ余力とし使用するとして、発電モータの奇数番号が入力線回転励磁左巻きコイルとし、偶数番号が同場所番号コイルの外側コイルが発電コイルとし、内側コイルが直列配線出力線左巻きコイルとした発電モータ増設は、インバータ三相出力線を１番発電モータの入力線回転励磁コイルにスター、もしくは、デルタの結線とし、１番発電モータの直列配線出力線に付けた三相電線を２番発電モータの入力線回転励磁コイルに結線し、２番発電モータの直列配線出力線に付けた三相電線を３番発電モータの入力線回転励磁コイルに結線とした発電モータの回転軸に、タイミングベルト、プーリ、Ｖベルト、歯車、の回転を同調させる部材を配設し、増設した発電モータを連動させて回転位置のタイミングが外れない様にし、各発電コイルはスター結線かデルタ結線とし集合端子台から低電圧起電力が出力とし、２番発電モータと３番発電モータ入力線回転励磁コイルのスター、もしくは、デルタとした結線部から高電圧起電力が出力とし、または、１番発電モータの入力線に付けたインバータ出力線を外し、増設と発電モータ間の電線配線はそのままとし３番発電モータの回転軸を動力モータ、発電モータ、ガソリンまたは軽油のエンジン動力回転軸でプーリとＶベルトで３番発電モータの回転軸を回転させると、２番モータと１番モータとの回転を同調させる部材が必要ない回転とし、固定コイルのコイル巻き数の多い発電モータからコイル巻き数の少ない発電モータに起電力を流すと、コイル巻き数の多い発電モータにコイル巻き数の少ない発電モータが従う回転となりタイミングベルト無し回転とし、発電モータの磁石ロータと鉄芯ロータとの組み合わせでもタイミングベルトが必要ない回転とし、又、発電モータ固定コイルが入力線回転励磁コイルと発電コイルとした発電モータの増設は、複数増設した発電モータを順番に入力線回転励磁から入力線回転励磁へと三相電線でスター、もしくは、デルタとした結線とし順番に連結し、タイミングを合わせる回転同調部材を回転軸に配設し、何番の発電モータの回転軸を動力で回転させても増量発電が出来るとして、入力線回転励磁コイルの結線部からの出力は高電圧起電力とし、各発電コイルの出力は低電圧起電力とした出力線はスター結線とするかデルタ結線とした集合端子台出力とし、全部の配設した発電モータのロータを強磁力とし、または、１番発電モータから段々とロータの磁力を弱めていく発電モータ配設とし、強磁力ロータの入力線回転励磁コイルと直列配線出力線はデルタ結線とし、弱磁力ロータの入力線回転励磁コイルと直列配線出力線はスター結線としたこと
（サ）ステータヨークからロータを平行移動させるには、ロータを押し出す、または、ロータを引き出すとした平行移動とし、発電モータの回転軸ロータは定位置とし、回転数か電圧かの発電モータの用途に合わせた所にステータヨークを平行移動固定しロータを出した状態とするか、ステータヨークを定位置とし回転軸ロータ全体を固定する両ベアリングの外側をベアリングケース内側で滑らせて平行移動させてロータを出すとするか、回転軸に直接加工は平行移動長さとした多角形を回転軸に加工し動力伝達多角形とし、ロータの中心も多角柱に加工したロータを多角面で滑らせて平行移動とするか、または、回転軸に直接加工しないで加工物を回転軸に配設は、平行移動長さで多角柱に加工した中心に穴を開け回転軸を圧入し動力伝達多角柱とし、ロータの中心に多角柱穴を加工し回転軸多角柱が入り多角柱面で滑るとしてロータを平行移動とし、後蓋側の動力伝達多角柱はロータより１０ｍｍ出すとし、出した多角柱は押しパイプの中に入る部分とし、ステータヨークからロータ中心を多角柱に加工した電磁石ロータ、磁石挿入鉄芯ロータを押しパイプで押してロータを平行移動としたこと
（シ）中央穴あき扇型磁石ロータのネオジム磁石を配設したロータ固定金具と加工は、回転軸にロータ定位置から極数に分割した所に平行移動距離の長さの動力伝達が入る溝を、回転軸の中心に対して垂直と平行に溝を加工し動力伝達板溝とし、磁石押さえめくれ防止材と動力伝達板を合体させてＴ型としＴ型動力伝達板めくれ防止材の回転軸側を動力伝達溝に入れ、溝と溝の間に分割パイプを配設した分割パイプを押さえる様に円盤を配設した円盤は、前蓋側に空冷ファンと中央穴あき扇型磁石を固定する通しボルト穴を設けた溶接固定円盤として、分割パイプと溶接固定円盤とＴ型動力伝達板めくれ防止材を溶接固定し回転軸上を平行に滑る事を確認し、磁極数の分割部に中央穴あき扇型磁石を数枚配設し、後蓋側のロータ固定円盤で分割パイプを１０ｍｍ後蓋側に出した所を押さえる様にロータ固定円盤を配設し、ロータ固定円盤には通しボルト穴とＴ型動力伝達板めくれ防止材が入る外周側に下段が設けられており、通しボルトは溶接固定円盤前蓋側からボルトを差し込みロータ固定円盤ボルト穴に通し、ナットで締めてロータ固定ボルトとしナットは回り止めを施すとし、ロータ固定円盤の外周側下段に配設したＴ型動力伝達板めくれ防止材の先端をＶ字加工し、Ｖ字めくれ防止材をロータ固定円盤の下段外側から９０度回転軸側に曲げ、ロータ固定円盤とＶ字めくれ防止材に穴を開けボルトで固定しナット側を周り止めするとした回転軸ロータの前蓋側には、発電モータの内部空冷ファンが配設されファンは全発電モータの回転軸に配設とし、ロータ固定金具材はステンレス、または、少し磁石の吸引力に反応するステンレス材としても良いとしたこと
（ス）中央穴あき扇型磁石とステータヨークとの関係は、発電モータのステータヨークのスロットの長さが１５０ｍｍとし、ロータに配設した中央穴あき扇型磁石の厚さを１０ｍｍとして、１磁石極の配設枚数は１１枚配設の１５対１１とした比率がロータ中央穴あき扇型磁石と２００Ｖ入力線回転励磁コイルには１番相性が良い比率とし、ロータ製作時に必要な中央穴あき扇型磁石の枚数を予測出来るとし、また、ステータヨークの半径が７５ｍｍで中央穴あき扇型磁石の高さが３５ｍｍとした磁石の高さで中心までの空間が４０ｍｍとし、磁石の高さと、磁石底部の回転軸側からステータヨーク中心までの距離の比率を７対８とした配設が一番相性の良い比率とし回転軸の径を予測出来るとしたこと
【請求項３】
（セ）請求項１と請求項２の部品と加工物を内外に配設する発電モータケースは円筒を横にした外観とし、発電モータケースの前後両脇下に配設した固定ベースは、モータケースにアングルを平行と水平と外向きとしたアングル脚にフラットバーのリブを内側に補強して、モータケースと接する部分を溶接され発電モータの固定ベースとした発電モータケースは、前後蓋を固定するボルト穴開き角材をモータケース前後の外側円周上に均等に配設し、後蓋側モータケース内側に高さの低い空冷空気跳ね上げリングが溶接されて、他にはモータケースに１個、または２個の入力線と出力線が通る穴を開け、開けた穴上部に入力端子台と出力端子台を配設した穴は、ゴミ進入防止又は漏電防止のゴム縁を配設とし、発電モータの後蓋には２種類の蓋が有り前蓋と後蓋を同型とした蓋と、前蓋と違う後蓋はベアリングケースの配設だけ違う蓋とし、前後蓋はモータケース円筒の外径から３ｍｍほど外径が大きい蓋とし、蓋内側の外周側に縁を設けた縁は、モータケース円筒の外周側が入り込む縁とし、回転軸の中心が、ずれない様に蓋内側の外周側と縁の蓋側を溶接固定し発電モータの蓋とした蓋の縁には、モータケースに付けたボルト穴開き角材位置と同場所の縁にボルト穴開き角材が溶接されておりモータケースと蓋のボルトによる固定とし、蓋縁の縁内側とモータケースの入り込む外周部を旋盤加工とし、または、旋盤加工しないとした蓋内側から縁の幅は１０ｍｍから５０ｍｍとし、モータケース直径により縁幅を決めるとして、前蓋中央にベアリングが入るベアリングケースを配設し外周側を補強板で補強し、補強板と補強板の中間に空気吸い込み口を開けた前蓋とした前蓋の空気吸い込み口にフイルターを付け、または、口に配管を付けて空気のゴミが無い所まで配管を伸ばし、伸ばした配管に緩衝部を付けて中に磁石を配設し鉄粉などを吸着するとし、後蓋は前蓋と同じ蓋として開けた穴は空気排出口として、又は、開けた穴は空気排出強制電動ファン口として使用するとした後蓋のベアリングケースは、後蓋材から外側に貫通としたベアリングケースの長さはロータ平行移動距離と押しベアリング１個または２個の厚み寸法を足した長さとしたベアリングケース内側を旋盤加工とし、押しベアリングがベアリングケースの内側と押しベアリングの回転軸とが滑り押しベアリングが移動し、ロータ押しパイプでロータを平行移動としたロータ押しパイプは、回転軸に手作業で挿入出来て回転軸に隙間が無いとした押しパイプは中央穴あき扇型磁石ロータの押しパイプとして、多角柱ロータの押しパイプの長さは、ロータから後蓋側に多角柱を１０ｍｍ出した所をロータ定位置とし、多角柱を１０ｍｍ出した外側をパイプ内に収めて多角柱に隙間が無いとしたパイプ内径で押しベアリングまでの長さをロータ押しパイプの長さとし、ベアリング側のロータ押しパイプに付けた蓋は、回転軸径の穴を開けた平座金、または、リングを蓋とし、蓋と回転軸側のベアリング回転部に当たる所の蓋全周に突起部を作り、蓋突起部を押しベアリング回転軸側の回転部で押した力がロータ押しパイプ蓋と伝わりロータを平行移動としたこと
（ソ）後蓋側の押しベアリングを平行移動させるベアリング押しパイプは、後蓋外側まで貫通させたベアリングケース内径に差し込むベアリング押しパイプとし、長さは平行移動距離の長さとしたベアリング押しパイプに蓋をし、ベアリング押しパイプ蓋とした蓋には中央にナット又はネジを切り、蓋外周に回り止めの切込みを設けたベアリング押しパイプ蓋の外側に、一回り大きい押しボルト受け台パイプを被せ、被せたパイプに蓋を付け蓋中央には押しボルト穴が開けてあるボルト受け台パイプ蓋とし、蓋の外側から押しボルトを通してベアリング押しパイプ蓋のナットに押しボルトを通し、ボルト受け台パイプ蓋の蓋内側に押しボルト回転力逃げ防止板を押しボルトに固定し、押しボルトを締めるとするか、緩めるとした事でベアリング押しパイプとロータを平行移動としたボルト受け台パイプ蓋は後蓋外側に固定としたボルト受け台パイプ蓋は、側面に直線歯車を配設し歯車上部のパイプを細長く切り取り、ベアリング押しパイプ蓋に付けた移動測定歯車を出し直線歯車に歯を組み合わせ、移動測定歯車に付けたバネ連動材でインバータボリュウムダイヤルと連結し、ベアリング押しパイプが平行移動するとダイヤルが回転しインバータ周波数が変えられるとし、又、押しボルトを取り外してベアリング押しパイプ蓋とボルト受け台パイプ蓋との中間に油圧シリンダを配設し、油圧ポンプは回転軸の回転で油圧ポンプを回し、または、発電した電気で電動油圧ポンプを回転させ、油圧シリンダで押しベアリングを押すとした油圧ポンプに操作レーバを付けて、押し側、中立、戻す側、としたレーバ位置として油圧シリンダでロータを平行移動としたこと
（タ）発電モータケースに配設するステータヨーク薄板積層材の製作と固定は、薄板を製作時に入力線回転励磁コイルのスロットと発電コイルのスロットは同型とするか、やや小さいスロットとするか、半分の大きさのスロットとし製作したステータヨークを、隙間材の両端に突起部を設けた突起部で積層方向にステータヨークを挟み込み固定とした隙間材を、ステータヨークの外周側に均等に配設しステータヨークの長さとした隙間材に、何箇所か穴を開けた隙間材穴からステータヨークを溶接しステータヨークと隙間材を溶接固定とし、隙間材で固定されたステータヨークをモータケースに配設しモータケースとステータヨークとの隙間材と隙間材との空間を空気通路とし、モータケースの前蓋内側から円錐台で空気吸い込み口全体を外側から包む様に前蓋縁側の口外側からモータケース内側に広い薄板を円錐台に加工し、モータケース内側の回転軸に配設した内部空冷ファン下部まで差し込み固定とした空冷空気方向指示板とし、前蓋側回転軸に付けた内部空冷ファンの空気を後蓋側に流すとした流れを、空気誘導材で隙間材空気通路に誘導するとした空気誘導材も円錐台とし、スロットから出した銅線の半分の高さ、又は、銅線上から隙間材側に広い円錐台とし、隙間材突起部に固定とした円錐台の材質は薄い絶縁物としたこと
【発明の詳細な説明】
【技術分野】
【０００１】
本発明は、動力モータと発電機に関するものである。
【背景技術】
【０００２】
発電モータは固定コイルを回転励磁コイルと発電コイルに分けて、動力と発電機能を併せ持つモータとし、駆動力と発電を同時に作動することが出来、一定のインバータ周波数のみ少ない消費電力で発電モータが回転、発電した起電力は電圧が高く出力させていた。
【先行技術文献】
【特許文献】
【０００３】
【特許文献１】特許第  ４５７１７０８
【特許文献２】特許第  ４９５１０９９
【特許文献３】特許第  ５１５００１９
【発明の概要】
【発明が解決しようとする課題】
【０００４】
解決しようとする問題点は、発電モータの回転駆動するインバータ出力周波数範囲が一定の周波数のみ少ない消費電力で回転、又、起電力を負荷側に出力時に発電コイルに発生する出力励磁がロータの回転を妨げ発電モータの消費電力を多くしていた。
【課題を解決するための手段】
【０００５】
本発明は、発電モータの入力線回転励磁コイルにインバータ三相出力２００Ｖを入力させ、回転駆動と発電を同時に実行する発電モータとした発電モータは、ロータを定位置とし回転数と起電力を指定した発電モータとするか、ロータを定位置から平行移動させて低速回転から高速回転までを少ない消費電力で発電モータを回転とするか、選択できるとした発電モータのステータヨークに配設された固定コイルの奇数番号を入力線回転励磁コイルとし偶数番号を発電コイルとするか、または、発電モータの奇数番号を入力線回転励磁コイルとし偶数番号を同場所番号コイルとした。同場所番号コイルは外側コイルを発電コイルに内側コイルを直列配線出力線コイルとするか、外側コイルを直列配線出力線コイルとし内側コイルを発電コイルとしても良いとした。同場所番号コイルを発電コイルとするには直列配線出力線コイルの渡り銅線を切断して、外側発電コイルと内側の発電コイルとした各相同場所番号コイルを左出力線と右出力線とし、同番号の同方向同士の出力線を並列配線とした単相発電コイルとした。発電モータの入力線回転励磁コイルと同場所番号コイルの直列配線出力線コイルと発電コイルは、入力線回転励磁コイル巻き数と同巻き数コイルとするか、やや少ないコイル巻き数とするか、半分のコイル巻き数とし、直列配線出力線コイルと発電コイルの発電した起電力の出力負荷時に、各コイルの出力励磁を下げてロータの回転を妨げない各コイル配設とした。増設する発電モータの入力線回転励磁コイルと同場所番号コイルの直列配線出力線の起電力は増設する発電モータを回転させる電源として、増設した発電モータの回転軸をタイミングベルトで繋ぎ同調回転とした。または、発電モータの奇数番号を入力線回転励磁コイルで偶数番号を発電コイルとした増設には、発電モータの入力線回転励磁コイルに三相電線を配設し１番発電モータから順番に入力線回転励磁コイルから入力線回転励磁コイルと三相電線で繋ぎ、回転軸をタイミングベルトで繋ぎ同調回転とした増設の発電コイルの起電力は、出力端子台からの直流を蓄電池電圧より高めの電圧とした直流を流して蓄電池を常時充電常態として出力した直流を電圧変換しインバータで使用する。発電モータの増設は横一列に並べるとするか、２台を一組とし向かい合わせに連結とするか、３台を三角に配設しベルトで三角の中心に回転力を集中させる増設とした各増設の回転力は余力とし利用されるとした。発電モータのインバータ出力周波数範囲の拡大は発電モータに使用するロータの回転軸に、発電モータ内部空冷ファンが回転軸の前蓋側に配設してあるとした回転軸に、永久磁石ロータ、電磁石ロータ、磁石挿入鉄芯ロータ、中央穴あき扇型磁石ロータ、鉄芯ロータ、かご型鉄芯ロータが発電モータの回転軸ロータとして使用とした。中央穴あき扇型磁石ロータを配設した発電モータに三相２００Ｖを入電させると無負荷回転で１０ｈｚから６０ｈｚの周波数回転まで消費電力が２アンペア以内とし、周波数を７０ｈｚに上げると消費電力は１５アンペアとした消費電力を２アンペアまで消費電力を下げるには、１５ｍｍ程ステータヨークからロータを引き出すとするか、または、ロータを押し出すとした事で２アンペアの回転消費電力とした。高速に成るほどステータヨークからロータを引き出すとし、少ない消費電力で発電モータを低速から高速まで回転駆動する発電モータとした。
【０００６】
発電コイルの出力集合端子台配線は、２極発電モータと４極発電モータと６極発電モータとも発電コイルの端子台出力結線の仕方は同じとし、発電コイルと同場所番号コイルの外側コイルを発電コイルとし内側コイルを直列配線出力線コイルとしたコイル巻き数は、入力線回転励磁コイル巻き数と同巻き数コイルとするか、やや少ないコイル巻き数とするか、半分のコイル巻き数のコイルとした。発電コイルの三相各同場所番号コイルまたは発電コイルは、２極発電モータはＵＶＷ各１番コイル端子台出力、ＵＶＷ各２番コイル端子台出力、４極発電モータはＵＶＷ各２番コイル端子台出力、ＵＶＷ各４番コイル端子台出力、6極発電モータはＵＶＷ各２番コイル端子台出力、ＵＶＷ各4番コイル端子台出力、ＵＶＷ各6番コイル端子台出力とした発電コイルを各端子台で、単相発電コイルとし左右銅線を右出力線と左出力線として各端子台で単相出力とするか、同方向の各三相ＵＶＷ出力線三本を束にして中性点とし反対側方向の三相出力線を各端子台でスター結線出力とするか、各端子台スター結線とした端子台を一箇所に集合させて集合端子台スター結線出力とするか、集合端子台スター結線の中性点を外して中性点を集合端子台でデルタ結線してデルタ出力とした。集合端子台出力とした仕方が整流器の配設数が少ない個数で整流できる。三相デルタ出力端子台に配設した整流器、または、発電モータから少し離れた固定ベース脇に整流器を配設し、ＵＶＷ集合端子台デルタ出力からＵＶＷ出力線を伸ばして整流器の交流接続端子に結合し整流器に交流を通して直流とした整流器は三相整流器とするか単相整流器とし、単相整流器は３個の整流器を用いてデルタ出力端子の３端子に２本ずつ整流器の交流入力線を結線しデルタ出力端子から均等に出力させるとした。交流を直流に変換し蓄電池の充電電圧より高めとした直流を流す事で充電状態を保ちながら各蓄電池と変換機に入電とし、蓄電池はリチゥムイオン蓄電池、鉛蓄電池、電気二重層キャバシター、を使用し急速充電と普通充電とを混合した蓄電池とし、蓄電池からの直流をインバータ、または、直流変換機でＤＣ−ＤＣかＤＣ−ＡＣの１００Ｖか２００Ｖか３００Ｖか４００Ｖの使用機器に合わせた電圧とし、昇圧機で変換した起電力の一部は負荷側の消費電力とした。ＤＣ３００Ｖ、又は、ＡＣ２００Ｖは発電モータを回転させている交流インバータの直流接続端子又はインバータ交流入力線電源とした。三相インバータの出力を発電モータの入力線回転励磁コイルに入電させ発電モータに回転と発電をさせて、発電コイルの集合端子台デルタ出力とした起電力を整流器から蓄電池、昇圧機、インバータ、入力線回転励磁コイルと順番に流して発電モータに戻した起電力を循環起電力とし、蓄電池を利用した発電モータの無限動力を可能とした。
【０００７】
発電モータの奇数番号が入力線回転励磁コイルとし偶数番号が発電コイルとした増設と、発電モータの奇数番号が入力線回転励磁コイルとし、偶数番号コイルが同場所番号コイルとした増設には、最後尾の発電モータの同場所番号コイルを外側コイルと内側コイルを並列配線とした発電コイルとした増設。発電モータの増設は１台を回転駆動させ１台の消費電力で他複数台の発電モータを同時に連動させ起電力を増電発とした発電モータ複数台増設とし、発電モータの極数は同極数と同巻き方向コイルとした発電モータを配設とし、増設する発電モータは回転軸に強磁力ロータを配設し、同場所番号コイルの発電コイル巻き数と直列配線出力線コイル巻き数は、入力線回転励磁コイル巻き数と同巻き数コイルとするか、やや少ないコイル巻き数とするか、半分としたコイル巻き数とし、同場所番号コイルとした直列配線出力線コイルのスター結線、又は、デルタ結線として、配設する発電モータは入力線回転励磁左巻きコイルのスターもしくは、デルタとした結線とし、同場所番号コイルの外側コイルを発電コイルとし、内側コイルを直列配線出力線左巻きコイルのスターもしくはデルタとした結線の増設は、１番発電モータのＵＶＷ三相直列配線出力線に付けた三相電線を、２番発電モータの２００ｖ入力線回転励磁コイルのデルタ結線部に繋ぎ、２番発電モータのＵＶＷ三相直列配線出力線に付けた三相電線を、３番発電モータの２００ｖ入力線回転励磁コイルのデルタ結線部に繋ぎ、１番発電モータの回転軸を手動で回転させると同時に２台が軽く同じ方向に回転する位置があり、その位置で１番発電モータの入力線回転励磁コイルにインバータ出力を入力させると発電モータの回転軸位置が外れて同調回転しない為に、回転軸位置が３台とも外れない様にタイミングベルト、歯車、プーリ、Ｖベルト、フランジで３台が同方向に同調回転させるとした増設。または、１番発電モータに付けたインバータ三相出力線を外して、３番発電モータの回転軸に付けたプーリとベルトをエンジン動力、動力モータ、発電モータの動力で回転させると２番発電モータと１番発電モータを回転同調させているタイミングベルトが要らない回転とした事が出来るとし、コイル巻き数の多い発電モータからコイル巻き数の少ない発電モータに起電力を入力させると、コイル巻き数の多い発電モータの回転にコイル巻き数の少ない発電モータの回転が従う回転となりタイミングベルトが要らない回転となる。発電モータの固定コイルが入力線回転励磁コイルと発電コイルとした増設は、複数の発電モータの入力線回転励磁コイルから入力線回転励磁コイルにスター、もしくは、デルタとした結線で順番に三相電線で繋ぎ、回転軸に回転を同調する歯車、プーリ、Ｖベルト、タイミングベルト、フランジを取り付け、複数の回転軸回転位置を同調回転させて発電モータの何番の発電モータでも良いとした回転軸に、プーリとプーリベルトを掛け、エンジン動力、動力モータ、発電モータの回転軸プーリで回転させるとした増設発電モータの単相発電コイルを、三相出力端子台でデルタ結線、又は、スター結線とした低電圧の起電力出力とし、また、直列配線出力線と入力線回転励磁の結線部、または、入力線回転励磁と入力線回転励磁の結線部とした両方の結線部からは高電圧の起電力が出力とし、増設した複数の発電モータの三相出力端子台出力に整流器を付けて直流にしてから複数台分を合流させて増電とした。発電モータの強磁力ロータの入力線回転励磁コイルと直列配線出力線はデルタ結線とし、弱磁力ロータの入力線回転励磁コイルと直列配線出力線はスター結線として、発電モータ強磁力ロータから強磁力ロータとした増設、または、強磁力ロータから弱磁力ロータとした増設とし、発電モータ磁石ロータと発電モータ鉄芯ロータとの組み合わせ増設発電でもタイミングベルトが要らない増設とした。弱磁力ロータとは中央穴あき扇型磁石ロータで説明すると、スロットの長さの半分以下を中央穴あき扇型磁石が覆う枚数のロータとした。
【０００８】
強磁力ロータを配設した発電モータのインバータ周波数範囲を拡大し、少ない消費電力で発電モータの高速回転とし、ステータヨーク内にロータが格納された状態がロータの定位置とした発電モータは、回転数が固定され起電力も一定の電圧とし、発電モータのロータが平行移動する発電モータは、低速回転から高速回転まで周波数の範囲を拡大する事が出来るとした。ステータヨークを定位置から後蓋側または前蓋側に平行移動させ発電モータの必要な回転数や発電電圧の、どちらかの用途に合わせた所にステータヨークをモータケースに固定しロータを出した状態とするか、ロータを回転軸ごと平行移動させステータヨークから出すとした配設は、回転軸の左右のベアリングの外周側をベアリングケースの内側で滑らせて、全体を平行移動させステータヨークからロータを出すとしたベアリングケースは、平行移動方向に移動距離と同じ長さとしたベアリングケースとした。または、ロータを回転軸上で平行移動させるとした場合の回転軸前蓋ベアリングは固定とし、後蓋ベアリングケースを平行移動距離と同じ長さのベアリングケースとし、ベアリングケースを後蓋外側まで貫通させたベアリングケースとした。ベアリングと同径のベアリング押しパイプを後蓋外側からベアリングケースに差し込んだベアリング押しパイプの長さは平行移動距離の長さとし、ベアリング押しパイプ外側にパイプ径より一回り大きい蓋を配設し、ベアリング押しパイプ蓋とした蓋の外周側には回り止め材の入る切り込み部を加工した蓋には、蓋中央に押しボルトを通す穴またはタップ穴を開けたベアリング押しパイプ蓋とし、ベアリング押しパイプ蓋の内側にナットを溶接して蓋ネジ山の補強とした。ベアリング押しパイプ蓋に一回り大きいパイプを被せて、被せたパイプに同円形の蓋をした蓋の中央に押しボルト穴を開けボルト受け台パイプ蓋として後蓋外側に固定とした。ボルト受け台パイプ蓋のボルト穴に外側から押しボルトを通して、ボルト受け台パイプ蓋をボルト頭と挟んだ蓋内側のボルトに回転力逃げ防止板を溶接固定し、ボルト受け台パイプ蓋から出ているボルト頭を左回転にすると押しベアリングが押されてロータがステータヨークから押し出し右回転すると定位置に戻す、又は、押しボルトを取り外してベアリング押しパイプ蓋とボルト受け台パイプ蓋内側に、油圧シリンダ底部を固定し油圧力でベアリング押しパイプ蓋を押してロータを平行移動とし、油圧ポンプは回転軸の回転で油圧ポンプを回すとするか発電した電気でポンプを回す電動油圧ポンプを使用とし、電動油圧ポンプは操作レーバを付け、押す側、中立、戻す側、としたレーバ位置を設けて油圧シリンダの、押す、戻す、の操作をしてロータの平行移動とした。ロータを平行移動と共にインバータ周波数を上げていく必要が有り周波数を上げるには、ボルト又は油圧シリンダの受け台パイプ蓋の側面に直線歯車を配設し直線歯車の上部のパイプを直線歯車の長さで細長く切り取り、切り取り部からベアリング押しパイプ蓋の蓋に付けた移動測定歯車を出して直線歯車に歯を組み合わせ、移動測定歯車に付けたバネ連動材をインバータボリュウムダイヤルと連結し、ベアリング押しパイプが平行移動すると移動測定歯車が回転し連動材バネとダイヤルが回転しインバータ周波数も変わり発電モータを少ない消費電力で高速回転とした。
【０００９】
発電モータに配設した回転軸のロータを平行移動とした中央穴あき扇型磁石ロータ、電磁石ロータ、磁石挿入鉄芯ロータの回転軸に配設した金具と平行移動材の加工は、磁石抑えめくれ防止材と動力伝達板材とで合体しＴ型とし、Ｔ型動力伝達板めくれ防止材の動力伝達板の板厚が入る溝を動力伝達溝とした。溝はロータ定位置から平行移動させる距離の長さの溝とし、溝は回転軸中心に対して垂直と平行に発電モータ極数の溝を加工し、溝幅はＴ型動力伝達板めくれ防止材が平行移動し回転方向に隙間が無いとした加工とし、Ｔ型動力伝達板の、めくれ防止材を同方向に向けて回転軸にＴ型動力伝達板めくれ防止材を垂直に立て、回転軸の極数の溝と溝との間に磁極数に分割したパイプをステータヨークの長さより左右に１０ｍｍ出した長さで回転軸に配設し、分割したパイプを軽く回転軸に押し当ててＴ型動力伝達板と分割パイプを仮止め溶接し、回転軸にファン付溶接固定円盤のファンを前蓋側として配設し、Ｔ型動力伝達板めくれ防止材が付いてない側とファン付溶接固定円盤との接点を仮止めとした。仮止めしたファン付溶接固定円盤の加工は、ファンは銅線空冷ファンとし他には磁極数の中央穴あき扇型磁石の固定通しボルト穴が有るとし、ファン付溶接固定円盤とＴ型動力伝達板と分割パイプとを仮止めし、固定金具を回転軸上で軽く平行移動するか確かめてから金具全体をタップ溶接し溶接後もう一度平行移動を確認する。中央穴あき扇型磁石を磁極の通しボルトに数枚を通してロータ固定円盤をＴ型動力伝達板めくれ防止材側に入れ、ロータ固定円盤には中央穴あき扇型磁石の固定通しボルト穴と、Ｔ型動力板のめくれ防止材が入る円盤外周側に下段が作られおり、Ｔ型動力伝達板のめくれ防止材を下段に入れてロータ固定円盤外側に出すとして、めくれ防止部の先端部をＶ字にカットして先端に広くし中に向けて狭くなるとしたＶ字カット部を、ロータ固定円盤から出した部分を回転軸側に向けて９０度に曲げ、Ｖ字先端には穴を開けた同場所にロータ固定円盤にタップを切り、または、両方にタップを切りボルト締めとし、Ｔ型動力伝達板磁石押さえめくれ防止材とした。磁石配設し最後に通しボルトのロータ固定円盤に通したボルトにナットを締めてロータ全体の固定としたナットは樹脂系の糊で周り止めをした。回転軸の前蓋側に発電モータの内部空冷する内部空冷ファンを回転軸に配設するとし、回転軸ロータを構成する固定金具材質はステンレス材または少し磁石に吸引力反応するステンレス材としても良いとした。発電モータに配設したステータヨークとロータは少し後蓋側に置き定位置とし、前蓋ベアリングはベアリングケースと前蓋で固定され、後蓋側の１個又は２個のベアリングでロータを押すとし、後蓋のロータ押し側ベアリングのベアリングケース長さは平行移動距離の長さとし、押し側ベアリングケース蓋の外側まで貫通させたベアリングケースとし、ベアリングの外周をベアリングケース内で滑らせベアリングの内側で回転軸をも滑らせるとした押しベアリング。平行移動ロータと押しベアリング間の回転軸にロータ押しパイプを挿入し、挿入したパイプの内径は回転軸に手作業で簡単に挿入出来る内径で回転軸と隙間が無いとしたロータ押しパイプとしたパイプを、押しベアリングの回転軸側回転部で押しパイプを押すとした。回転軸ロータ平行移動は、回転軸にロータ平行移動させる溝を掘る加工とするか、または、回転軸を平行移動長さに加工して四角柱、五角柱、六角柱、八角柱と多角を付け、ロータ中心にも多角を加工しロータが回転方向に固定されて動力伝達し平行方向に滑るとするか、または、回転軸に直接加工しないで多角柱に加工した長さは、定位置から平行移動する長さ分を足した長さとした多角柱平行移動材の中心に回転軸径の穴を加工し、多角柱穴有り平行移動材に回転軸を圧接挿入して回転軸と多角柱平行移動材が滑らない様にした回転軸に、ロータの中心部を多角柱同形に加工して回転軸に挿入し回転軸回転方向に動力伝達し回転軸に平行に滑る平行移動の電磁石ロータ、磁石挿入鉄芯ロータとした。多角柱平行移動材の押しパイプは後蓋側ロータから１０ｍｍ多角柱平行移動材を出した部分をパイプ内径に収めた所から押しベアリングまでがパイプの長さと内径としたロータ押しパイプとし、ロータ押しパイプの押しベアリング側には中心に回転軸を通した平座金、または、リングを押しパイプ蓋とし、蓋の回転軸側と押しベアリング側に突起部が作られ、その突起部を押しベアリング回転軸側回転部で押してロータ押しパイプでロータを平行移動させる。
【００１０】
発電モータの前後方向は動力を伝える回転軸側を前蓋側とし、発電モータケースは円筒を横にした外観とした発電モータケースの前後両脇下に、水平と平行に外向きとしたアングル脚にボルト穴と内側にフラットバーのリブ補強板を配設とし、モータケースと接する部分を溶接された発電モータの固定ベースとした。発電モータケースの後蓋側内側に高さの低い空冷空気跳ね上げリングが溶接され、他にはモータケースと前後蓋を固定するボルト穴あき角材をケース前後の外側円周上に均等に配設し、１個、又は、２個の入力線と出力線を通す穴が開けられているモータケースとした穴上部には、入力端子台と出力端子台とが配設されており、穴にはゴミの進入、配線のキズ、電気の漏電、を防ぐためのゴム縁の絶縁防止材、または、ゴミ侵入防止材を配設するとした。発電モータの後蓋は二種類の蓋が有り前蓋と同じ蓋を後蓋として使用、又は前蓋とはベアリングケースの配設が違う後蓋とした。前蓋はモータケース円筒外径から３ｍｍ外径が大きい蓋外径とし、蓋内側の外径側からモータケースに縁を回して蓋の中心が、ずれない様にした縁はモータケース円筒外周が入り込み隙間無く加工された縁とし、蓋と縁が接する部分を溶接固定とした前蓋とし、前蓋縁にはボルト穴を開けた角材が溶接されており角材穴は、モータケースのボルト穴あき角材の配設場所と同場所として配設し、蓋縁の角材穴とモータケースの角材穴にボルトを通して蓋とモータケースを固定とした。蓋縁の縁内側とモータケースの入り込む外周部を旋盤加工、または、旋盤加工しないとした蓋内側からの縁幅は１０ｍｍから５０ｍｍとしモータケースの直径により大きくするとした。前蓋の中央に前側回転軸が入る穴を開けた所を中心にして回転軸ベアリングを収納固定するベアリングケースを配設し、ベアリングケースの外円周を補強する補強板をベアリングケース外周側に均等に配設し溶接とし、補強板と補強板との中間に空気吸い込み口の穴を開けた発電モータの前蓋とした。前蓋の穴にはフイルターを個々に外側から蓋に付けるか、蓋外側にフイルターを被せ中央には回転軸が入る穴を開けたフイルターとし、または、穴に配管を付ける配管は前蓋部には配管を半分に縦割りに切断して、切断面を蓋と平行に穴に被せる様に配管し固定して空気が漏れないとし、蓋から出た配管は円形に戻すとした配管を、空気にゴミが浮遊して無い所まで配管を伸ばすとした配管の中間に緩衝部を作り、緩衝部の内部に磁石を配設し鉄粉などを吸着するとした緩衝部は、下側から吸い込んで上側から吸い出すとし、水分、重いゴミなどを留め置くとした緩衝部の役目とした。後蓋は前蓋と同じ構造か又はベアリングケース配設だけ違う構造の後蓋とし、前蓋と同じ構造の後蓋とすると前後蓋ともベアリングを蓋材で固定する後蓋とし開けられた穴は空気排出口とした。後蓋の前蓋と構造が違うベアリングケースの配設は、後蓋をベアリングケースが貫通し後蓋外側に出し、回転軸後蓋側ベアリング外側がベアリングケース内側を滑る様に、又、同時に回転軸もベアリング内側を滑る様に隙間無く加工し、加工したベアリングケースの長さはロータの平行移動距離の長さに押しベアリング１個又は２個の厚み寸方を足した長さのベアリングケースとし、ベアリングケースの内径は旋盤加工する。後蓋の穴は空気排出口、又は、電動強制空気排出電動ファンを付ける穴とした。薄板積層ステータヨークは、薄板製作時に入力線回転励磁コイルのスロットと発電コイルのスロットは、同型とするか、やや小さいスロットとするか、半分の大きさのスロットとしたステータヨークを、隙間材の両端に付けた突起部でステータヨークの積層方向の前後を押さえ、更に隙間材に穴を開けた穴からステータヨークに直接溶接し隙間材とステータヨークを固定とし、隙間材はモータケース内側とステータヨーク間に挟みステータヨークを固定、また、隙間材の突起部をモータケース内側と溶接するとして固定、隙間材の厚み分の隙間を空冷空気通路として空気誘導材を固定した隙間材とした。ステータヨークをモータケース中央の定位置又は予定した後蓋側位置にステータヨークをずらしてモータケースでステータヨークを固定したモータケースには、前蓋内側の吸引口を外側から空気吸引口の全体を囲み、内部側に広いとした円錐台を設けた円錐台は、前蓋内側からモータケースの内側斜めに広げてモータケース内側の内部空冷ファン下まで差し込こんで固定とし、薄板を円錐台に加工した吸引空気方向指示板として配設、回転軸に付けた内部空冷ファンで吸引した空気を後蓋側に空気の方向を変える薄板の円錐台とし、空気誘導材はステータヨークの前蓋側隙間材突起部の隙間材厚み空気通路のステータヨーク側から、固定コイルのスロットから出した銅線の中間位置、又は、銅線上部から隙間材のステータヨーク側に薄板の円錐台は銅線側に狭く、隙間材側に広い円錐台として隙間材突起部に固定した空気誘導材とし、隙間材の空気通路に空気を強制的に進入させるとし、コイルに近いので電気を通さない様に絶縁物として、ポリウレタン樹脂、石綿、ガラス繊維、セラミック、アクリル、漏電防止塗装、燃えにくい絶縁材で加工するとしたこと。
【００１１】
２極発電モータの分布巻きコイルを１番から２４番のスロットでステータヨークにコイル配設、固定コイルは同場所番号コイルとして配設、コイル番号とスロット番号と左右方向は固定コイル引き出し銅線を付けるステータヨーク側を、回転軸方向から見ての左右方向としてスロット番号とコイル番号を右回り通し番号としスロットは１番から２４番として、入力線回転励磁コイル巻き数と発電コイルの巻き数は、同巻き数コイルとするか、やや少ないコイル巻き数とするか、半分のコイル巻き数とし、同場所番号コイルの外側コイルを発電コイルとし内側コイルを入力線回転励磁コイルとした三相ＵＶＷ各１番コイルは左巻きコイルとし、三相ＵＶＷ各２番コイルは右巻きコイルとしたコイル配設は、Ｕ１線入力線回転励磁１番コイル巻き始め銅線を入力線とし２番から１１番のスロットに左巻きコイル配設し巻き終わり銅線をＵ１中性点、Ｕ２線入力線回転励磁２番コイル巻き始め銅線を入力線とし２３番から１４番のスロットに右巻きコイル配設し巻き終わり銅線をＵ２中性点、Ｕ線１番発電コイルは１番と１２番のスロットにコイル配設し１番スロットから出した銅線をＵ１左出力線、１２番スロットから出した銅線をＵ１右出力線とし、Ｕ線２番発電コイルは１３番と２４番のスロットにコイル配設し１３番のスロットから出した銅線をＵ２左出力線、２４番のスロットから出した銅線をＵ２右出力線とし、Ｖ１線入力線回転励磁１番コイル巻き始め銅線を入力線とし１０番から１９番のスロットに左巻きコイル配設し巻き終わり銅線をＶ１中性点、Ｖ２線入力線回転励磁２番コイル巻き始め銅線を入力線とし７番から２２番のスロットに右巻きコイル配設し巻き終わり銅線をＶ２中性点、Ｖ線１番発電コイルは９番と２０番のスロットにコイル配設し９番スロットから出した銅線を左１出力線、２０番スロットから出した銅線を右１出力線とし、Ｖ線２番発電コイルは８番と２１番のスロットにコイル配設し８番スロットから出した銅線を右２出力線、２１番スロットから出した銅線を左２出力線とし、Ｗ線入力線回転励磁１番コイル巻き始め銅線を入力線とし１８番から３番のスロットに左巻きコイル配設し巻き終わり銅線をＷ１中性点、Ｗ線入力線回転励磁２番コイル巻き始め銅線を入力線とし６番から１５番のスロットに右巻きコイル配設し巻き終わり銅線をＷ２中性点、Ｗ線１番発電コイルは１７番と４番のスロットにコイル配設し１７番スロットから出した銅線をＷ１左出力線、４番スロットから出した銅線をＷ１右出力線、Ｗ線２番発電コイルは５番と１６番のスロットにコイル配設し５番スロットから出した銅線をＷ左２出力線、１６番スロットから出した銅線をＷ２右出力線とし、発電コイルは全部のコイルを単相発電としＵＶＷ同場所１番出力端子台とＵＶＷ同場所２番出力端子台とに配設するか、各三相端子台の単相発電コイルの左右銅線の同方向出力線３本を束にし、反対方向の出力線をスター結線出力とするか、又は、１番出力端子台と２番出力端子台の各スター結線のＵＶＷを集合させて、ＵとＵ、ＶとＶ、ＷとＷの出力線として一箇所のスター結線の集合三相出力端子台とするか、又は、スター結線した中性点を外して集合三相出力端子台で中性点をデルタ結線とし三相デルタ出力とした。三相２００Ｖ入力線回転励磁コイルを半分のコイル巻き数として回転励磁コイルとして使用する場合は三相１００Ｖとして入力線に入電する。
【００１２】
２極発電モータの分布巻きコイルを１番から３６番のスロットでステータヨークに同場所番号コイルを配設、発電コイルは入力線回転励磁コイル巻き数と同巻き数コイルとするか、やや少ないコイル巻き数とするか、半分のコイル巻き数として配設、コイル番号とスロット番号と左右方向は固定コイル引き出し銅線を付けるステータヨーク側を回転軸方向から見ての左右方向としてスロット番号とコイル番号を右回り通し番号とし、スロットは１番から３６番とし同場所番号コイルの外側コイルを発電コイルとし内側コイルを入力線回転励磁コイルとし、三相入力線回転励磁１番コイルは左巻きコイルとし三相入力線回転励磁２番コイルは右巻きコイルとした配設は、Ｕ１線入力線回転励磁１番コイル巻き始め銅線を入力線とし２番から１７番と３番から１６番の各スロットに左巻きコイル配設し１６番スロットの巻き終わり銅線をＵ１中性点、Ｕ２線入力線回転励磁２番コイル巻き始め銅線を入力線とし３５番から２０番と３４番から２１番の各スロットに右巻きコイル配設し２１番スロット巻き終わり銅線をＵ２中性点、Ｕ１発電コイルは１番から１８番のスロットにコイル配設し１番スロットから出した銅線をＵ１左出力線、１８番スロットから出した銅線をＵ１右出力線とし、Ｕ２発電コイルは１９番から３６番のスロットにコイル配設し１９番スロットから出した銅線をＵ２左出力線、３６番スロットから出した銅線をＵ２右出力線とし、Ｖ１入力線回転励磁１番コイル巻き始め銅線を入力線とし１４番から２９番と１５番から２８番の各スロットに左巻きコイル配設し２８番スロット巻き終わり銅線をＶ１中性点、Ｖ２入力線回転励磁２番コイル巻き始め銅線を入力線とし１１番から３２番と１０番から３３番の各スロットに右巻きコイル配設し３３番スロット巻き終わり銅線をＶ２中性点、Ｖ１発電コイルは１３番から３０番のスロットにコイル配設し１３番スロットから出した銅線をＶ１左出力線、３０番スロットから出した銅線をＶ１右出力線とし、Ｖ２番発電コイルは１２番から３１番のスロットにコイル配設し１２番スロットから出した銅線をＶ２右出力線、３１番スロットから出した銅線をＶ２左出力線とし、Ｗ１線入力線回転励磁１番コイル巻き始め銅線を入力線とし２６番から５番と２７番から４番の各スロットに左巻きコイル配設し４番スロット巻き終わり銅線をＷ１中性点、Ｗ２線入力線回転励磁２番コイル巻き始め銅線を入力線とし２３番から８番と２２番から９番の各スロットに右巻きコイル配設し９番スロットから出した巻き終わり銅線をＷ２中性点とし、Ｗ１発電コイルは６番から２５番のスロットにコイル配設し６番スロットから出した銅線をＷ１右出力線、２５番スロットから出した銅線をＷ１左出力線とし、Ｗ２発電コイルは７番から２４番のスロットにコイルを配設し７番スロットから出した銅線をＷ２左出力線、２４番スロットから出した銅線をＷ２右出力線とし、発電コイルは全部のコイルを単相発電とし１番発電コイル端子台と２番発電コイル端子台とに配設、または、各三相端子台の単相発電コイルの左右出力線の同方向同士を中性点とし３本を束にして、反対方向の出力線を端子台でスター結線とした出力とするか、又は、スター結線した集合三相出力端子台で中性点を外してデルタ結線とし三相端子台デルタ出力とした。
【００１３】
４極発電モータの分布巻きコイルを１番から２４番のスロットでステータヨークに配設、コイル番号とスロット番号と左右方向は固定コイル引き出し銅線を付けるステータヨーク側を回転軸方向から見ての左右方向として、スロット番号とコイル番号を右回りの通し番号としスロットは１番から２４番とし、奇数番号コイルが入力線回転励磁コイルで偶数番号が発電コイルとし、発電コイルは入力線回転励磁コイルのコイル巻き数と同巻き数のコイルとするか、やや少ないコイル巻きとするか、半分のコイル巻き数としたコイルの配設は、Ｕ線入力線回転励磁１番コイル巻き始め銅線を入力線とし１番から６番のスロットに左巻きコイル配設し６番スロット巻き終わり銅線を、３番コイルの１３番から１８番のスロットに左巻きコイル配設し１８番スロット巻き終わり銅線をＵ中性点、Ｕ発電コイルは２番コイルと４番コイルの７番と１９番のスロットから出した銅線をＵ左出力線とし１２番と２４番のスロットから出した銅線をＵ右出力線とした。Ｖ線入力線回転励磁１番コイル巻き始め銅線を入力線とし１番コイルの５番から１０番のスロットに左巻きコイル配設し１０番スロット巻き終わり銅線を、３番コイルの１７番から２２番のスロットに左巻きコイル配設し２２番スロット巻き終わり銅線をＶ中性点、Ｖ発電コイルは２番コイルと４番コイルの１１番と２３番のスロットから出した銅線をＶ左出力線とし１６番と４番のスロットから出した銅線を右出力線。Ｗ線入力線回転励磁１番コイル巻き始め銅線を入力線とし９番から１４番のスロットに左巻きコイル配設し１４番スロット巻き終わり銅線を、３番コイルの２１番から２番のスロットに左巻きコイル配設し２ス番スロット巻き終わり銅線をＷ中性点とし、Ｗ発電コイルは２番コイルと４番コイルの１５番と３番のスロットから出した銅線をＷ左出力線、２０番と８番のスロットから出した銅線をＷ右出力線とした。発電コイルは全部のコイルを単相発電とし２番出力端子台と４番出力端子台とに配設し、各三相端子台の単相発電コイルの同方向同士の出力線を中性点とし３本を束にして結線、反対方向の出力線をスター結線出力とするか、又は、スター結線出力とした２台の端子台を１台のスター結線出力とした集合三相出力端子台とするか、又は、集合三相端子台のスター結線とした中性点を外してデルタ結線とし集合端子台デルタ出力とした。又、入力線回転励磁コイルを左巻きコイルとしたコイルとコイルの中性点を、中性点を入力線回転励磁コイルと変更し、入力線回転励磁コイルの入力線を中性点と変更すると、入力線回転励磁コイルを右巻きコイルとなる。
【００１４】
４極発電モータの分布巻きコイルを１番から４８番のスロットでステータヨークに配設、コイル番号とスロット番号と左右方向は固定コイルに引き出し銅線を付けるステータヨーク側を回転軸方向から見ての左右方向とし、スロット番号とコイル番号を右回りの通し番号とし、スロットは１番から４８番とした固定コイルの奇数番号コイルが入力線回転励磁コイルで左巻きコイルとし、偶数番号コイルを同場所番号コイルとし外側コイルを発電コイルで内側コイルを左巻きコイルとして直列配線出力線コイルとし、直列配線出力線コイル巻き数は入力線回転励磁コイル巻き数と同巻き数コイルとするか、やや少ないコイル巻き数とするか、又は、半分のコイル巻き数としたコイル配設は、Ｕ線入力線回転励磁１番コイル巻き始め銅線を入力線とし１番から１２番と２番から１１番のスロットに左巻きコイル配設し１１番スロット巻き終わり銅線を、３番コイルの２５番から３６番と２６番から３５番のスロットに左巻きコイル配設し３５番スロット巻き終わり銅線をＵ中性点とし、Ｕ直列配線出力線２番コイル巻き始め銅線を出力線とし１４番から２３番のスロットに左巻きコイル配設し２３番スロット巻き終わり銅線を、４番コイルの３８番から４７番のスロットに左巻きコイル配設し４７番のスロット巻き終わり銅線をＵ同場所中性点とし、Ｕ発電コイルの２番コイルと４番コイルの１３番と３７番のスロットから出した銅線がＵ左出力線、２４番と４８番のスロットから出した銅線をＵ右出力線とした。Ｖ線入力線回転励磁１番コイル巻き始め銅線を入力線とし９番から２０番と１０番から１９番の各スロットに左巻きコイル配設し１９番スロット巻き終わり銅線を、３番コイルの３３番から４４番と３４番から４３番の各スロットに左巻きコイル配設し４３番スロットの巻き終わり銅線をＶ中性点、Ｖ直列配線出力線２番コイル巻き始め銅線を出力線とし２２番から３１番のスロットに左巻きコイル配設し３１番スロット巻き終わり銅線を、４番コイルの４６番から７番のスロットに左巻きコイル配設し７番スロット巻き終わり銅線をＶ同場所中性点、Ｖ発電コイルの２番コイルと４番コイルの４５番と２１番のスロットから出した銅線がＶ左出力線、８番と３２番のスロットから出した銅線がＶ右出力線とした。Ｗ線入力線回転励磁１番コイル巻き始め銅線を入力線とし１７番から２８番と１８番から２７番の各スロットに左巻きコイル配設し２７番スロット巻き終わり銅線を、３番コイルの４１番から４番と４２番から３番の各スロットに左巻きコイル配設し３番スロット巻き終わり銅線をＷ中性点、Ｗ直列配線出力線２番コイル巻き始め銅線を出力線とし３０番から３９番のスロットに左巻きコイル配設し３９番スロット巻き終わり銅線を、４番コイルの６番から１５番のスロットに左巻きコイル配設し１５番スロット巻き終わり銅線をＷ同場所中性点とし、Ｗ発電コイルの２番コイルと４番コイルの５番と２９番のスロットから出した銅線をＷ左出力線、１６番と４０番のスロットから出した銅線をＷ右出力線とした。三相直列配線出力線コイルは発電モータを増設した発電モータの電源として使用し、増設をしない場合、又は、増設した最後尾の発電モータとした場合の直列配線出力線コイルと発電コイルは、直列配線コイルの各相２番コイルから４番コイルへの渡り銅線を切断し発電コイルとし、外側コイルと内側コイルを同方向同士の銅線を並列結線し単相発電コイルとして使用。出力線の端子台結線の仕方は４極発電モータの分布巻きコイルの２４スロットと同じ出力の仕方とした。入力線回転励磁コイルと直列配線出力線コイルを左巻きコイルと記載したが、各中性点から電流を流すと右巻きコイルとし、入力線回転励磁コイルと直列配線出力線コイルとした両方のコイルを中性点と変更し、配設されていた中性点は入力線回転励磁コイルと直列配線出力線と変更すると右巻きコイルとなる。
【００１５】
４極発電モータの１相と３相が同巻きコイルで２相が逆巻きコイルとした分布巻きコイルを１番から４８番のスロットに配設、奇数番号が入力線回転励磁コイルの１相と３相を左巻きコイルとし２相を右巻きコイルとし、偶数番号が同場所番号コイルとし同場所番号コイルは、入力線回転励磁コイル巻き数と同じコイル巻き数とするか、やや少数巻きコイルとするか、半分の巻き数コイルとした同場所番号コイルとし、外側コイルを発電コイルとし内側コイルを直列配線出力線１相と３相が左巻きコイルとし２相が右巻きコイルとしての配設は、Ｕ線入力線回転励磁１番コイル巻き始め銅線を入力線とし１番から１２番と２番から１１番の各スロットに左巻きコイル配設し１１スロット巻き終わり銅線を、３番コイルの２５番から３６番と２６番から３５番のスロットに左巻きコイル配設し３５番スロット巻き終わり銅線をＵ中性点、Ｕ直列配線出力線２番コイル巻き始め銅線を出力線とし１４番から２３番のスロットに左巻きコイルを配設し２３番スロット巻き終わり銅線を、４番コイルの３８番から４７番のスロットに左巻きコイル配設し４７番スロット巻き終わり銅線をＵ同場所中性点とし、Ｕ発電コイルの２番コイル１３番と２４番のスロット、４番コイル３７番と４８番のスロットの１３番と３７番のスロットから出した銅線をＵ左出力線、２４番と４８番のスロットから出した銅線をＵ右出力線とした。Ｖ線入力線回転励磁１番コイル巻き始め銅線を入力線とし１６番から５番と１５番から６番の各スロットに右巻きコイル配設し６スロット巻き終わり銅線を、３番コイルの４０番から２９番と３９番から３０番の各スロットに右巻きコイル配設し３０番スロット巻き終わり銅線をＶ中性点、Ｖ直列配線出力線２番コイル巻き始め銅線を出力線とし２７番から１８番のスロットに右巻きコイル配設し１８番スロット巻き終わり銅線を、４番コイルの３番から４２番のスロットに右巻きコイル配設し４２番スロット巻き終わり銅線をＶ同場所中性点、Ｖ発電コイルの２番コイル１７番と２８番のスロット、４番コイル４１番と４番のスロットとし、１７番と４１番のスロットから出した銅線をＶ左出力線、２８番と４番のスロットから出した銅線をＶ右出力線とした。Ｗ線入力線回転励磁１番コイル巻き始め銅線を入力線とし９番から２０番と１０番から１９番の各スロットに左巻きコイル配設し１９番スロット巻き終わり銅線を、３番コイルの３３番から４４番と３４番から４３番の各スロットに左巻きコイル配設し４３番スロット巻き終わり銅線をＷ中性点、Ｗ直列配線出力線２番コイル巻き始め銅線を出力線とし２２番から３１番のスロットに左巻きコイル配設し３１番スロット巻き終わり銅線を４番コイルの４６番から７番のスロットに左巻きコイル配設し７番スロット巻き終わり銅線をＷ同場所中性点とし、Ｗ発電コイル２番コイル２１番と３２番のスロット、４番コイル４５番と８番のスロットとし、２１番と４５番のスロットから出した銅線をＷ左出力線、３２番と８番のスロットから出した銅線をＷ右出力線とした。１相と３相が左巻きコイルで２相が右巻きコイルとしたが、各中性点から電流を流すと１相と３相が右巻きコイルで２相が左巻きコイルとし、入力線回転励磁コイルを中性点として変更し、配設されていた中性点を入力線回転励磁コイルとし変更すると、１相と３相が右巻きコイルで２相が左巻きコイルとした。
【００１６】
６極発電モータの分布巻きコイルを１番から３６番のスロットでステータヨークにコイル配設、コイル番号とスロット番号と左右方向は固定コイルに引き出し銅線を付けるステータヨーク側を回転軸方向から見ての左右方向とし、スロット番号とコイル番号を右回りの通し番号とし、スロットは１番から３６番とし奇数番号コイルが入力線回転励磁コイルで左巻きコイルとし、偶数番号コイルを発電コイルとし発電コイル巻き数は入力線回転励磁コイル巻き数と同じコイル巻き数とするか、やや少ないコイル巻き数とするか、半分のコイル巻き数とした配設は、Ｕ線入力線回転励磁１番コイル巻き始め銅線を入力線とし１番から６番のスロットに左巻きコイル配設し６番スロット巻き終わり銅線を、３番コイルの１３番から１８番のスロットに左巻きコイル配設し１８番スロット巻き終わり銅線を、５番コイルの２５番から３０番のスロットに左巻きコイル配設し３０番スロット巻き終わり銅線をＵ中性点、Ｕ発電コイルを２番コイルと４番コイルと６番コイルとし各コイルの７番と１９番と３１番の各スロットから出した銅線を左出力線、１２番と２４番と３６番のスロットから出した銅線を右出力線。Ｖ線入力線回転励磁１番コイル巻き始め銅線を入力線とし５番から１０番のスロットに左巻きコイル配設し１０番スロット巻き終わり銅線を、３番コイルの１７番から２２番のスロットに左巻きコイル配設し２２番スロット巻き終わり銅線を、５番コイルの２９番から３４番のスロットに左巻きコイル配設し３４番スロット巻き終わり銅線をＶ中性点、Ｖ発電コイルは２番コイルと４番コイルと６番コイルとし各コイルの１１番と２３番と３５番の各スロットから出した銅線を左出力線、１６番と２８番と４番の各スロットから出した銅線を右出力線とし。Ｗ線入力線回転励磁１番コイル巻き始め銅線を入力線とし９番から１４番のスロットに左巻きコイル配設し１４番スロット巻き終わり銅線を、３番コイルの２１番から２６番のスロットに左巻きコイル配設し２６番スロット巻き終わり銅線を、５番コイルの３３番から２番のスロットに左巻きコイル配設し２番スロット巻き終わり銅線をＷ中性点、Ｗ発電コイルを２番コイルと４番コイルと６番コイルとし各コイルの１５番と２７番と３番の各スロットから出した銅線を左出力線、２０番と３２番と８番の各スロットから出した銅線を右出力線とした。発電コイルは全部のコイルを単相発電コイルとしＵＶＷ各コイル同番号同士で２番出力端子台と４番出力端子台と６番出力端子台とに分けて単相発電とするか、又は、各端子台で左右銅線の同方向同士を３本束にして結線し中性点として、反対側の同方向出力線を各端子台スター結線出力とし、又は、各三相端子台スター結線出力とした各端子台のスター結線を１箇所の集合端子台スター結線出力とし、又は、スター結線とした中性点を外し集合端子台でデルタ結線とし三相端子台デルタ結線出力とした。入力線回転励磁コイルを左巻きコイルとした中性点から電流を流すと右巻きコイルとし、入力線回転励磁コイルを中性点と変更し、配設された中性点を入力線回転励磁コイルと変更すると右巻きコイルとなる。
【００１７】
６極発電モータの分布巻きコイルを１番から７２番のスロットでステータヨークに配設、コイル番号とスロット番号と左右方向は固定コイル引き出し銅線を付けるステータヨーク側を回転軸方向から見ての左右方向とし、スロット番号とコイル番号を右回りの通し番号とし、スロット番号は１番から７２番とし、奇数番号が入力線回転励磁コイルの左巻きコイルとし偶数番号を同場所番号コイルとし、同場所番号コイル巻き数は入力線回転励磁コイル巻き数と同じコイル巻き数とするか、やや少ない巻き数コイルとするか、半分としたコイル巻き数とし、外側コイルを発電コイルで内側コイルを直列配線出力線コイルの左巻きコイルとしたコイル配設は、Ｕ線入力線回転励磁１番コイル巻き始め銅線を入力線とし１番から１２番と２番から１１番の各スロットに左巻きコイル配設し１１スロット巻き終わり銅線を、３番コイルの２５番から３６番と２６番から３５番の各スロットに左巻きコイル配設し３５スロット巻き終わり銅線を、５番コイルの４９番から６０番と５０番から５９番の各スロットに左巻きコイル配設し５９スロット巻き終わり銅線をＵ中性点とし、Ｕ直列配線出力線を２番コイル巻き始め銅線を出力線とし１４番から２３番のスロットに左巻きコイル配設し２３番スロット巻き終わり銅線を、４番コイルの３８番から４７番のスロットに左巻きコイル配設し４７番スロット巻き終わり銅線を、６番コイルの６２番から７１番のスロットに左巻きコイル配設し７１番スロット巻き終わり銅線をＵ同場所中性点とし、Ｕ発電コイル２番コイルと４番コイルと６番コイルの１３番と３７番と６１番の各スロットから出した銅線を左出力線とし、２４番と４８番と７２番の各スロットから出した銅線を右出力線。Ｖ線入力線回転励磁１番コイル巻き始め銅線を入力線とし９番から２０番と１０番から１９番の各スロットに左巻きコイル配設し１９スロット巻き終わり銅線を、３番コイルの３３番から４４番と３４番から４３番の各スロットに左巻きコイル配設し４３スロット巻き終わり銅線を、５番コイルの５７番から６８番と５８番から６７番の各スロットに左巻きコイル配設し６７番スロットから出した銅線をＶ中性点とし、Ｖ直列配線出力線を２番コイル巻き始め銅線を出力線とし２２番から３１番のスロットに左巻きコイル配設し３１番スロット巻き終わり銅線を、４番コイルの４６番から５５番のスロットに左巻きコイル配設し５５番スロット巻き終わり銅線を、６番コイルの７０番から７番のスロットに左巻きコイル配設し７スロット巻き終わり銅線をＶ同場所中性点とし、Ｖ同場所発電コイル２番コイルと４番コイルと６番コイルの２１番と４５番と６９番の各スロットから出した銅線を左出力線とし、３２番と５６番と８番のスロットから出した銅線を右出力線。Ｗ線入力線回転励磁１番コイル巻き始め銅線を入力線とし１７番から２８番と１８番から２７番の各スロットに左巻きコイル配設し２７番スロット巻き終わり銅線を、３番コイルの４１番から５２番と４２番から５１番の各スロットに左巻きコイル配設し５１番スロット巻き終わり銅線を、５番コイルの６５番から４番と６６番から３番の各スロットに左巻きコイル配設し３番スロット巻き終わり銅線をＷ中性点とし、Ｗ直列配線出力線を２番コイル巻き始め銅線を出力線とし３０番から３９番のスロットに左巻きコイル配設し３９番スロット巻き終わり銅線を、４番コイルの５４番から６３番のスロットに左巻きコイル配設し６３番スロット巻き終わり銅線を、６番コイルの６番から１５番のスロットに左巻きコイル配設し１５番スロット巻き終わり銅線をＷ同場所中性点とし、Ｗ同場所発電コイルの２番コイルと４番コイルと６番コイルの２９番と５３番と５番のスロットから出した銅線を左出力線とし、４０番と６４番と１６番のスロットから出した銅線を右出力線。発電モータの直列配線出力線の三相ＵＶＷコイルは増設した発電モータの電源とし使用し、電源が必要ない場合と増設した最後尾の発電モータには直列配線コイルは必要ないとして、直列配線の渡り銅線を切断して同番号出力線の同方向の出力線と結線し各出力端子台の単相出力とし、三相入力線端子台結線と三相出力線の仕方は６極発電モータの３６スロットのステータヨークタイプと同じ出力の仕方とし、又、入力線回転励磁コイルを左巻きコイルとし直列配線出力線を左巻きコイルとしたが、各中性点から電流を流すと入力線回転励磁コイルを右巻きコイルとし直列配線出力線コイルを右巻きコイルとした配設とし、入力線回転励磁コイルと直列配線出力線コイルを中性点と変更し、配設されていた中性点を入力線回転励磁コイルと直列配線出力線コイルと変更してコイル巻き方向を右巻きコイルとした。
【００１８】
６極発電モータ分布巻きコイルを１番から７２番のスロットに１相と３相が左巻きコイルとし２相が右巻きコイルとした配設、コイル番号とスロット番号と左右方向は、固定コイル引き出し銅線を付けるステータヨーク側を回転軸方向から見ての左右方向とし、コイル番号とスロット番号は右回りの通し番号として１番コイルから６番コイルとしスロットは１番から７２番とし、奇数番号コイルが入力線回転励磁コイルで偶数番号コイルが同場所番号コイルとして、同場所番号コイル巻き数は入力線回転励磁コイル巻き数と同じコイル巻き数とするか、やや少ないコイル巻き数とするか、半分としたコイル巻き数としたコイルで、外側コイルを発電コイルとし内側コイルを直列配線出力線コイルとし、直列配線出力線コイルも１相と３相が左巻きコイルとし２相が右巻きコイルとした配設は、Ｕ線入力線回転励磁１番コイル巻き始め銅線を入力線とし１番から１２番と２番から１１番の各スロットに左巻きコイル配設し１１番スロット巻き終わり銅線を、３番コイルの２５番から３６番と２６番から３５番の各スロットに左巻きコイル配設し３５番スロット巻き終わり銅線を、５番コイルの４９番から６０番と５０番から５９番の各スロットに左巻きコイル配設し５９番スロット巻き終わり銅線をＵ中性点、Ｕ直列配線出力線２番コイル巻き始め銅線を出力線とし１４番から２３番のスロットに左巻きコイル配設し２３番スロット巻き終わり銅線を、４番コイルの３８番から４７番のスロットに左巻きコイル配設し４７番スロット巻き終わり銅線を、６番コイルの６２番から７１番のスロットに左巻きコイル配設し７１番スロット巻き終わり銅線をＵ同場所中性点、Ｕ発電コイルは２番コイルの１３番と２４番のスロット、４番コイルの３７番と４８番のスロット、６番コイルの６１番と７２番のスロットとし、１３番と３７番と６１番の各スロットから出した銅線をＵ左出力線とし、２４番と４８番と７２番の各スロットから出した銅線をＵ右出力線。Ｖ線入力線回転励磁１番コイル巻き始め銅線を入力線とし１６番から５番と１５番から６番の各スロットに右巻きコイル配設し６番スロット巻き終わり銅線を、５番コイルの６４番から５３番と６３番から５４番の各スロットに右巻きコイル配設し５４番スロット巻き終わり銅線を、３番コイルの４０番から２９番と３９番から３０番の各スロットに右巻きコイル配設し３０番スロット巻き終わり銅線をＶ中性点とし、Ｖ直列配線出力線２番コイル巻き始め銅線を出力線とし２７番から１８番のスロットに右巻きコイル配設し１８番スロット巻き終わり銅線を、６番コイルの３番から６６番のスロットに右巻きコイル配設し６６番スロット巻き終わり銅線を、４番コイルの５１番から４２番のスロットに右巻きコイル配設し４２番スロット巻き終わり銅線をＶ同場所中性点とし、Ｖ発電コイルは２番コイルの１７番と２８番のスロット、４番コイルの４１番と５２番のスロット、６番コイルの６５番と４番のスロットとし、１７番と４１番と６５番の各スロットから出した銅線をＶ左出力線、２８番と５２番と４番の各スロットから出した銅線をＶ右出力線。Ｗ線入力線回転励磁１番コイル巻き始め銅線を入力線とし９番から２０番と１０番から１９番の各スロットに左巻きコイル配設し１９番スロット巻き終わり銅線を、３番コイルの３３番から４４番と３４から４３番の各スロットに左巻きコイル配設し４３番スロット巻き終わり銅線を５番コイルの５７番から６８番と５８番から６７番の各スロットに左巻きコイル配設し６７番スロット巻き終わり銅線をＷ中性点、Ｗ直列配線出力線２番コイル巻き始め銅線を出力線とし２２番から３１番のスロットに左巻きコイル配設し３１番スロット巻き終わり銅線を、４番コイルの４６番から５５番のスロットに左巻きコイル配設し５５番スロット巻き終わり銅線を、６番コイルの７０番から７番のスロットに左巻きコイル配設し７番スロット巻き終わり銅線をＷ同場所中性点、Ｗ発電コイルは２番コイルの２１番と３２番のスロット、４番コイルの４５番と５６番のスロット、６番コイルの６９番と８番のスロットとし、２１番と４５番と６９番の各スロットから出した銅線をＷ左出力線とし、３２番と５６番と８番の各スロットから出した銅線をＷ右出力線とした。１相と３相が左巻きコイルで２相が右巻きコイルと記載したが、各中性点から電流を流すと１相と３相が右巻きコイルで２相が左巻きコイルとした配設とし、入力線回転励磁コイルを中性点と変更し、配設されていた中性点を入力線回転励磁コイルと変更し、記載したコイル巻き方向と逆としたコイル巻き方向とした。
【００１９】
中央穴あき扇型磁石の永久磁石はネオジム磁石とし、発電モータのステータヨークのスロット長さが１５０ｍｍとして、ロータに配設した中央穴あき扇型磁石の厚さは１０ｍｍとし、ロータ磁石極の１磁極への配設枚数を１１枚とし１５対１１とした比率がロータ中央穴あき扇型磁石と２００Ｖ入力回転励磁コイルには１番相性が良い比率とし、ロータ製作時に必要な中央穴あき扇型磁石の枚数を予測出来るとし、又、ステータヨークの半径が７５ｍｍで中央穴あき扇型磁石の高さが３５ｍｍとした磁石の高さで、中心までの空間が４０ｍｍとし、磁石高さと、磁石底部回転軸側からステータヨークの中心までの距離の比率を７対８とした配設として１番相性が良い比率とし回転軸の太さを予測出来る。
【発明の効果】
【００２０】
本発明の発電モータ回転励磁コイルに相性が良い比率の中央穴あき扇型磁石ロータを使用した発電モータにインバータ三相２００ｖを入力させると、無負荷回転時の入力線に付けたクランプ電流計で測定した消費電力は１０ｈｚから６０ｈｚまでの出力周波数で２Ａ以内の消費電力を計測した時の回転軸ロータは平行移動していない定位置とし、回転軸ロータを５０ｍｍステータヨークから出した時のインバータ出力周波数は８０ｈｚで４Ａ以内の消費電力で発電モータが回転した。発電モータのロータを外して変わりに、かご型鉄芯ロータを挿入して回転させるには同場所コイルの内側直列配線出力線に三相コンデンサーを付け、三相入力線回転励磁コイルに入力させるインバータ三相出力の交流電圧は２００Ｖとした電圧の周波数９０ｈｚで２．８Ａの消費電力で回転とし起電力電圧は３０Ｖとし、１２０ｈｚで３Ａの消費電力で回転と発電をした発電モータの無負荷回転時の計測とした。
【図面の簡単な説明】
【００２１】
【図１】２極発電モータ１番から２４番のスロット、同場所コイル
【図２】２極発電モータ１番から３６番のスロット、回転励磁コイルと発電コイル
【図３】４極発電モータ１番から２４番のスロット、回転励磁コイルと発電コイル
【図４】４極発電モータ１番から４８番のスロット、回転励磁コイルと同場所コイル
【図５】６極発電モータ１番から３６番のスロット、回転励磁コイルと発電コイル
【図６】６極発電モータ１番から７２番のスロット、回転励磁コイルと同場所コイル
【図７】中央穴あき扇型磁石ロータの回転軸平行移動部材
【図８】中央穴あき扇型磁石固定部材と動力伝達板と溝、断面図
【図９】発電モータの前蓋
【図１０】回転軸の多角柱平行移動部材、断面図
【図１１】発電モータケースの隙間材とステータヨーク、断面図
【発明を実施するための形態】
【００２２】
６極発電モータ３台を横に一列とした配設、プーリとプーリベルトで連結した個々の回転励磁コイルは同巻き方向のコイルとし、１番発電モータをインバータ三相入力モータとして配設し同場所コイルの同場所発電コイルは単相発電の三相デルタ出力とし、同場所直列配線出力線コイルは回転励磁コイルと同方向巻きコイルのスター結線とした１番発電モータとする。２番発電モータの同場所コイルは１番発電モータと同じ配線とし２番発電モータとする。３番発電モータの同場所コイルの発電コイルと直列配線出力線コイルの全部のコイルを同場所発電コイルとして３番発電モータとした。３台の三相デルタ出力線を集合させて整流器に流して直流にして蓄電池に蓄電しながら１２Ｖまたは２４Ｖを昇圧機またはインバータで１００Ｖまたは２００Ｖまたは３００Ｖまたは４００Ｖの直流または交流にして出力。
【実施例１】
【００２３】
強磁力ロータとした６極発電モータの入力線回転励磁コイルと同場所番号コイルで、同場所番号コイルの外側コイルを発電コイルとし内側コイルも発電コイルとしたコイルを並列配線とし、集合端子台でデルタ出力とした三相端子台の三端子に、単相負荷を平均に出力させるために６本の出力線を２本ずつ結線し平均した出力とし、負荷側には単相出力線一箇所に対して４個の投光機を接続として、全部で１２個を配設した。インバータ２００Ｖを発電モータに入力し周波数５５ｈｚ回転時の入力線に付けたクランプ電流計は消費電力４．０Ａと表示した発電モータの、発電電圧を各１２個の投光機に出力し３０Ｖ電圧の交流出力を計測した。６極発電モータの入力線回転励磁コイルと同場所コイルで、同場所コイルの外側コイルが発電コイルとし、内側コイルが直列配線出力線とした発電モータに出力負荷条件は前記と同じとし、インバータ２００Ｖを発電モータに入電し周波数５５ｈｚ回転時の入力線に付けたクランプ電流計の消費電力は３．８０Ａを表示し、出力は３０Ｖ電圧を計測とした発電モータのロータを取り外し、鉄芯ロータ、かご型鉄芯ロータ、を発電モータに配設して出力負荷条件は前記と同じとし、インバータから２００Ｖを入力させて発電モータを回転させ、周波数１２０ｈｚで消費電力が２．８Ａで発電モータが回転し、出力は３０Ｖ電圧を計測した時の、三相直列配線出力線に三相コンデンサーを付ける。三相コンデンサーを三相直列配線出力線に付けると回転励磁コイルの消費電力が少し下がるとし、コンデンサーは付けても、付けなくても良いとした。
【００２４】
増設する同極数同士とした発電モータはコイル巻き数の多いコイルからコイル巻き数の少ないコイルに結線するタイミングベルト無し回転は、発電モータ回転軸のロータは、強磁力ロータと強磁力ロータの組み合わせとするか、強磁力ロータと弱磁力ロータの組み合わせとする。または、増設する同極数同士としたタイミングベルト無し回転は、強磁力ロータ発電モータと鉄芯ロータ発電モータの組み合わせとした。複数台の増設は同極同士とし強磁力ロータを配設した発電モータの増設とし、入力線回転励磁コイルと入力線回転励磁コイルを三相電線で結線し、タイミングベルトで回転軸を同調させれば何台でも可能とし回転軸の回転力も余力として使用出来る。
【産業上の利用可能性】
【００２５】
動力三相電源を使用した発電モータ出力集合発電機。電気自動車、ハイブリット自動車に１台または２台の発電モータを動力とし駆動中にも蓄電に利用出来る。単体で工場などの動力とし使用中に蓄電させる事が出来る。蓄電池を使用した無限発電モータとした。
【符号の説明】
【００２６】
１    Ｕ入力線
２    Ｖ入力線
３    Ｗ入力線
４    Ｕ中性点
５    Ｖ中性点
６    Ｗ中性点
７    Ｕ発電左出力線
８    Ｕ発電右出力線
９    Ｖ発電左出力線
１０  Ｖ発電右出力線
１１  Ｗ発電左出力線
１２  Ｗ発電右出力線
１３  各相の通し番号
１４  Ｕ同場所直列配線の出力線
１５  Ｖ同場所直列配線の出力線
１６  Ｗ同場所直列配線の出力線
１７  Ｕ同場所中性点
１８  Ｖ同場所中性点
１９  Ｗ同場所中性点
２０  押しボルト
２１  押しボルトに固定したボルト回転力の逃げ防止材
２２  押しパイプ蓋内側に付けた補強ナット
２３  押しパイプ蓋
２４  押しボルトまたは油圧シリンダのパイプ受け台
２５  押しパイプ回り止め板
２６  直線歯車
２７  移動測定歯車
２８  インバータのボリュウムダイヤルと連動したバネ材
２９  平行移動距離長さのベアリングケース
３０  １個の押しベアリング
３１  ロータ押しパイプ
３２  ロータ通しボルトとロータ最後の固定ナット
３３  ロータを滑らせる分割パイプ
３４  ロータ固定円盤
３５  Ｔ型動力伝達板めくれ防止Ｖ字曲げ部
３６  Ｔ型動力伝達板めくれ防止と磁石押さえ部
３７  中央穴あき扇型磁石
３８  Ｔ型動力伝達板と分割パイプを固定した溶接固定円盤
３９  Ｔ型動力伝達板めくれ防止の動力伝達板が入る溝、または、動力伝達する溝
４０  中央穴あき扇型磁石の高さ
４１  磁石押さえ、と動力伝達板を合体したＴ型動力伝達板
４２  ロータ部材の溶接部
４３  回転軸
４４  前蓋
４５  空気吸引口
４６  蓋と溶接した縁
４７  ベアリングケースとケース補強板
４８  蓋の縁に溶接したボルト穴角材とモータケース側ボルト穴角材
４９  油圧ジャッキ
５０  空気排出強制ファンまたは空気排出口
５１  隙間材による内部空冷空気通路
５２  多角柱平行移動材
５３  発電モータ内部空冷ファン
５４  空冷空気方向指示板
５５  多角柱ロータの押しパイプ突起付き蓋
５６  押し座金ベアリング側回転部に触る所の突起部
５７  隙間材と突起部
５８  発電モータ固定ボルト穴
５９  アングル脚と補強フラットバー
６０  薄板積層材
６１  空気誘導材
６２  溶接固定円盤に溶接したコイル空冷ファン
６３  空冷空気跳ね上げ板
【図１】
2014158353.tif 000003
【図２】
2014158353.tif 000004
【図３】
2014158353.tif 000005
【図４】
2014158353.tif 000006
【図５】
2014158353.tif 000007
【図６】
2014158353.tif 000008
【図７】
2014158353.tif 000009
【図８】
2014158353.tif 000010
【図９】
2014158353.tif 000011
【図１０】
2014158353.tif 000012
【図１１】
2014158353.tif 000013
【手続補正書】
【提出日】平成25年4月12日(2013.4.12)
【手続補正１】
【補正対象書類名】図面
【補正対象項目名】図３
【補正方法】変更
【補正の内容】
【図３】
2014158353.tif 000014
【手続補正書】
【提出日】平成25年4月12日(2013.4.12)
【手続補正１】
【補正対象書類名】特許請求の範囲
【補正対象項目名】全文
【補正方法】変更
【補正の内容】
【特許請求の範囲】
【請求項１】
（ア）発電モータ、部品と名称後の括弧内は図面番号または符号番号とし、インバータ、油圧ポンプと油圧シリンダまたは油圧ジャッキ（４９）、直線歯車（２６）、移動測定歯車（２７）、押しパイプと受け台（２４）、平行移動ロータ、中央穴あき扇型磁石（３７）、磁石ロータ固定金具、平行移動材、動力伝達溝（３９）、電動ファン（５０）、同場所番号コイル、蓄電池、吸引空気方向指示板（５４）、内部空冷ファン（５３）、連動材バネ（２８）、隙間材（５７）、空気誘導材（６１）、整流器、ＤＣ−ＡＣ昇圧機、回転軸動力伝達部材、多角柱（５２）、フイルタ、の機器と部材とで機能する発電モータとした発電モータはインバータ三相２００Ｖの出力で回転駆動と発電を同時に実行するとした発電モータのモータケースには、ロータを平行移動させる油圧ポンプと油圧シリンダ（４９）、直線歯車（２６）、移動測定歯車（２７）、押しパイプと受け台（２４）、連動材バネ（２８）はモータケースの後蓋に配設されており請求項（ソ）と（図７、図１０）には、押しパイプと受け台（２４）の受け台を後蓋外側に固定しボルト受け台パイプ蓋として配設し、押しボルトを緩める、または、締めるとした事で、押しパイプでロータを平行移動とし、または、押しボルトを取り外して油圧シリンダ（４９）で平行移動をさせるとしたボルト受け台パイプ蓋の側面には直線歯車（２６）を配設し、押しパイプ蓋には移動測定歯車（２７）を配設し双方の歯車を組み合わせて、押しパイプ蓋が移動することで連動材バネ（２８、図７、図１０）を回転させてインバータボリュウムダイャルを回転し周波数を変えるとし、電動ファン（５０）は後蓋に配設し、吸引空気方向指示板（５４）は前蓋内側に配設（図１０）し、フイルタは前蓋の空気吸引口にフイルタを付ける、または、吸引口に配管を付け空気のゴミが無い所まで配管を伸ばすとし、ステータヨークには回転励磁コイル、発電コイル、同場所番号コイル、隙間材（５７）、空気誘導材（６１）とし、隙間材（５７）（請求項タ）（図１１）は、隙間材で固定されたステータヨークをモータケースに配設し隙間材（５７）と隙間材（５７）との空間を空気通路（５１）とし隙間材突起部に空気誘導材（６１）を配設として、平行移動ロータは、回転軸を固定する両ベアリングをベアリングケース内で滑らせて平行移動（請求項サ）とし、または、中央穴あき扇型磁石（３７）、磁石ロータ固定金具（図７）、平行移動材と動力伝達溝と回転動力伝達板（図８）とでロータだけ平行移動、多角柱（図１０）を使用してロータだけを平行移動とし、発電モータのロータ（図１０）は、ステータヨーク内にロータが格納された状態で後蓋側または前蓋側に平行移動させステータヨークをモータケースに固定し、ロータを平行移動しステータヨークからロータを引き出すことによってインバータの特定した出力周波数範囲内を少ない消費電力で低速から高速とした回転数と起電力の発電モータとし、発電モータに使用される回転軸ロータは、中央穴あき扇型磁石ロータ、磁石挿入鉄芯ロータ、電磁石ロータ、鉄芯ロータ、かご型鉄芯ロータ、永久磁石ロータから選択とし、発電モータの固定コイルは、２極発電モータ以外の４極発電モータと６極発電モータの固定コイルは、奇数番号が入力線回転励磁コイルとし偶数番号は発電コイルとし、または、奇数番号は入力線回転励磁コイルとし偶数番号は同場所番号コイルとして、２極発電モータの固定コイルは１番コイルと２番コイルとした同場所番号コイルとした各コイルを配設するスロットを回転軸方向から見て右回り通し番号の外側スロットに配設するコイルを発電コイルとし内側スロットに配設するコイルを回転励磁コイルとして、発電コイルと同場所番号コイルのコイル巻き数、又、同場所番号コイルの外側コイルと内側コイルを並列配線し発電コイルとしたコイル巻き数は入力線回転励磁コイル巻き数と同じコイル巻き数とするか、又は、やや少ないコイル巻き数とするか、半分のコイル巻き数として、直列配線出力線コイルと発電コイルのコイル巻き数を減らす事で、各コイルから出力した時の出力コイル励磁を弱めロータの回転に負荷とならない様にしたコイル配設とし、発電コイルが接続される端子台からの出力の仕方は記載した全発電モータに適用されるとし、発電モータに配設された各ＵＶＷ三相発電コイルは発電コイル個々の左右銅線を左出力線と右出力線とし、全コイルを単相発電とし番号別に各出力端子台で単相出力とするか、番号別の各端子台で三相ＵＶＷ各発電コイルの同方向出力線を三本束にして中性点とし、反対方向の出力線を各端子台で三相スター結線出力とするか、各端子台でスター結線された出力端子台を一箇所に集合させて集合端子台スター結線出力とするか、集合端子台でスター結線とした中性点を外し、集合端子台でデルタ結線としデルタ出力としても良いとし、出力端子台から出力した起電力を蓄電池電圧より少し高めの電圧とした交流を整流器に通して直流に変換し、直流を電線で蓄電池と変換機器に繋ぐとした蓄電池は、鉛蓄電池、リチュムイオン蓄電池、電気二重層キャパシター、とした急速充電と普通充電とを混合した蓄電池とし、直流電圧が高めの為に蓄電池に充電状態を保ちながら直流出力をインバータもしくは直流変換機を通して、ＤＣ−ＤＣまたはＤＣ−ＡＣとして１００Ｖ、２００Ｖ、３００Ｖ、４００Ｖに昇圧した直流か交流に変換した電気で、発電モータを回転駆動させているインバータに入電し発電モータを１台、又は、２台を連動回転させ出力端子台から出力した起電力を蓄電池電圧より少し高めの電圧とした交流を、整流器に戻すとした起電力の流れを作り循環起電力としたこと
（イ）前記（ア）に記載した全発電モータに適用するとした発電モータの前後とコイル方向は、発電モータの回転軸動力伝達軸側を前蓋側とし、固定コイル引き出し銅線を付けるステータヨーク側を回転軸方向から見ての左右方向とし、スロット番号とコイル番号を右回り通し番号とした記載、以後は発電モータの前後とコイルとスロットの番号と左右方向の説明文と、又、各発電モータの入力線回転励磁コイルと直列配線出力線コイルを左巻きコイルと記載したが、中性点から逆に電流を流すと記載したコイル巻き方向と逆方向巻きコイルとなり、入力線回転励磁コイルと直列配線出力線コイルとした両方コイルの入力線と出力線を中性点に変更し、配設されていた中性点を入力線回転励磁コイルと直列配線出力線コイルと変更すると右巻きコイルとなり、右巻きコイルとした発電モータも出来るとして、２極発電モータ（図１）の分布巻きコイルを１番から２４番のスロットに配設し同場所番号コイルとし、外側コイルを発電コイルとし内側コイルを入力線回転励磁コイルとし、三相各ＵＶＷ入力線回転励磁内側１番コイルを左巻きコイルとして、三相各ＵＶＷ入力線回転励磁内側２番コイルを右巻きコイルとした配設は、三相各ＵＶＷ入力線回転励磁１番コイル巻き始め銅線を（１、２、３）入力線とし、三相入力線回転励磁２番コイル巻き始め銅線を（１、２、３）入力線とし、各コイル巻き終わり銅線を中性点（４、５、６）とし、発電コイルは各ＵＶＷ発電１番コイルと各ＵＶＷ発電２番コイルの左右銅線を左出力線（７、９、１１）と右出力線（８、１０、１２）としたこと
（ウ）２極発電モータ（図２）の分布巻きコイルを１番からから３６番のスロットに配設、同場所番号コイルとし内側コイルを入力線回転励磁コイルとし外側コイルを発電コイルとし、三相ＵＶＷ各入力線回転励磁１番コイル巻き始め銅線を（１、２、３）入力線として左巻きコイル配設、三相ＵＶＷ各入力線回転励磁２番コイル巻き始め銅線を（１、２、３）入力線として右巻きコイル配設、三相ＵＶＷ各入力線回転励磁コイルの、コイル巻き終わり銅線を中性点（４、５、６）として、発電コイルは各ＵＶＷ発電１番コイルと各ＵＶＷ発電２番コイルの左右銅線を左出力線（７、９、１１）と右出力線（８、１０、１２）としたこと
（エ）４極発電モータ（図３）の分布巻きコイルを１番から２４番のスロットとしてステータヨークに配設、奇数番号を入力線回転励磁コイルで偶数番号が発電コイルとした配設は、Ｕ線入力線回転励磁１番コイル巻き始め銅線を入力線（１）として左巻きコイルを配設し巻き終わり銅線を、３番コイルに左巻きコイルを配設し巻き終わり銅線をＵ中性点（４）とし、Ｕ発電コイルは２番コイルと４番コイルの左右銅線を左出力線（７）と右出力線（８）とし、Ｖ線入力線回転励磁１番コイル巻き始め銅線を入力線（２）とし左巻きコイル配設し巻き終わり銅線を、３番コイルに左巻きコイル配設し巻き終わり銅線をＶ中性点（５）とし、Ｖ発電コイルは２番コイルと４番コイルの左右銅線を左出力線（９）と右出力線（１０）とし、Ｗ入力線回転励磁１番コイル巻き始め銅線を入力線（３）とし左巻きコイル配設し巻き終わり銅線を、３番コイルに左巻きコイル配設し巻き終わり銅線をＷ中性点（６）とし、Ｗ発電コイルは２番コイルと４番コイルの左右銅線を左出力線（１１）と右出力線（１２）とした単相発電コイルとしたこと
（オ）４極発電モータの１相と３相が同巻きコイルで２相が逆巻きコイルとした分布巻きコイルを１番から４８番のスロットのステータヨークに配設、奇数番号コイルが入力線回転励磁コイルで偶数番号が同場所番号コイルとし、外側コイルを発電コイルとし内側コイルを直列配線出力線コイルとし、入力線回転励磁コイルと直列配線出力線コイルの１相と３相が左巻きコイルで２相が右巻きコイルとした配設は、Ｕ線入力線回転励磁１番コイル巻き始め１番スロットの銅線を入力線として左巻きコイル配設としコイル巻き終わり１１番のスロット銅線を、３番コイルに左巻きコイル配設としコイル巻き終わり３５番スロットの銅線をＵ中性点とし、Ｕ直列配線出力線２番コイル巻き始め１４番スロットの銅線を出力線として左巻きコイル配設としコイル巻き終わり銅線を、４番コイルに左巻きコイル配設としコイル巻き終わり４７番スロットの銅線をＵ同場所中性点とし、Ｕ発電コイルは２番コイルと４番コイルの左右銅線として１３番と３７番のスロット銅線を左出力線とし２４番と４８番のスロット銅線を右出力線として、Ｖ線入力線回転励磁１番コイル巻き始め１６番スロットの銅線を入力線として右巻きコイル配設とし巻き終わり６番のスロット銅線を、３番コイルに右巻きコイル配設とし巻き終わり３０番スロットの銅線をＶ中性点とし、Ｖ直列配線出力線２番コイル巻き始め２７番スロットの銅線を出力線として右巻きコイル配設としコイル巻き終わり銅線を、４番コイルに右巻きコイル配設としコイル巻き終わり４２番スロットの銅線をＶ同場所中性点とし、Ｖ発電コイルは２番コイルと４番コイルの左右銅線として１７番と４１番のスロット銅線を左出力線とし２８番と４番のスロット銅線を右出力線として、Ｗ線入力線回転励磁１番コイル巻き始め９番のスロット銅線を入力線として左巻きコイル配設としコイル巻き終わり１９番のスロット銅線を、３番コイルに左巻きコイル配設としコイル巻き終わり４３番のスロット銅線をＷ中性点とし、Ｗ直列配線出力線２番コイル巻き始め２２番のスロット銅線を出力線として左巻きコイル配設としコイル巻き終わり銅線を４番コイルに左巻きコイル配設としコイル巻き終わり７番のスロット銅線をＷ同場所中性点とし、Ｗ発電コイルは２番コイルと４番コイルの左右銅線として２１番と４５番のスロット銅線を左出力線とし３２番と８番のスロット銅線を右出力線としたこと
（カ）４極発電モータ（図４）の分布巻きコイルを１番から４８番のスロットとしてステータヨークに配設、奇数番号コイルが入力線回転励磁コイルで偶数番号コイルが同場所番号コイルとし、外側コイルを発電コイルとし内側コイルを直列配線出力線コイルとし、入力線回転励磁コイルと直列配線出力線コイルを左巻きコイルとした配設は、Ｕ線入力線回転励磁１番コイル巻き始め銅線を入力線（１）として左巻きコイル配設としコイル巻き終わり銅線を、３番コイルに左巻きコイル配設としコイル巻き終わり銅線をＵ中性点（４）とし、Ｕ直列配線出力線２番コイル巻き始め銅線を出力線（１４）として左巻きコイル配設してコイル巻き終わり銅線を、４番コイルに左巻きコイル配設としコイル巻き終わり銅線をＵ同場所中性点（１７）とし、Ｕ発電コイルは２番コイルと４番コイルの左右銅線を左出力線（７）と右出力線（８）とし、Ｖ線入力線回転励磁１番コイル巻き始め銅線を入力線（２）として左巻きコイル配設としコイル巻き終わり銅線を、３番コイルに左巻きコイル配設としコイル巻き終わり銅線をＶ中性点（５）とし、Ｖ直列配線出力線２番コイル巻き始め銅線を出力線（１５）として左巻きコイル配設してコイル巻き終わり銅線を、４番コイルに左巻きコイル配設としコイル巻き終わり銅線をＶ同場所中性点（１８）とし、Ｖ発電コイルは２番コイルと４番コイルの左右銅線を左出力線（９）と右出力線（１０）とし、Ｗ線入力線回転励磁１番コイル巻き始め銅線を入力線（３）として左巻きコイル配設としコイル巻き終わり銅線を、３番コイルに左巻きコイル配設としコイル巻き終わり銅線をＷ中性点（６）とし、Ｗ直列配線出力線２番コイル巻き始め銅線を出力線（１６）として左巻きコイル配設としコイル巻き終わり銅線を、４番コイルに左巻きコイル配設としコイル巻き終わり銅線をＷ同場所中性点（１９）とし、発電コイルは２番コイルと４番コイルの左右銅線を左出力線（１１）と右出力線（１２）としたこと
（キ）６極発電モータ（図５）の分布巻きコイルを１番から３６番のスロットとしステータヨークに配設、奇数番号が入力線回転励磁コイルで偶数番号が発電コイルとし、入力回転励磁コイルを左巻きコイルとした配設は、Ｕ線入力線回転励磁１番コイル巻き始め銅線を入力線（１）とし左巻きコイル配設してコイル巻き終わり銅線を、３番コイルに左巻きコイル配設してコイル巻き終わり銅線を、５番コイルに左巻きコイル配設してコイル巻き終わり銅線をＵ中性点（４）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設してコイル巻き終わり銅線を、３番コイルに左巻きコイル配設しコイル巻き終わり銅線を、５番コイルに左巻きコイル配設してコイル巻き終わり銅線をＶ中性点（５）とし、Ｖ発電コイルは２番コイルト４番コイルと６番コイルの左右銅線を左出力線（９）と右出力線（１０）とし、Ｗ線入力線回転励磁１番コイル巻き始め銅線を入力線（３）として左巻きコイル配設してコイル巻き終わり銅線を、３番コイルに左巻きコイル配設して巻き終わり銅線を、５番コイルに左巻きコイル配設して巻き終わり銅線をＷ中性点（６）とし、Ｗ発電コイルは２番コイルと４番コイルと６番コイルの左右銅線を左出力線（１１）と右出力線（１２）としたこと
（ク）６極発電モータ（図６）の分布巻きコイルを１番から７２番のスロットとしステータヨークに配設、奇数番号が入力線回転励磁コイルで偶数番号が同場所番号コイルとし、外側コイルが発電コイルで内側コイルが直列配線出力線コイルとし、入力線回転励磁コイルと直列配線出力線コイルを左巻きコイルとした配設は、Ｕ線入力線回転励磁１番コイル巻き始め銅線を入力線（１）とし左巻きコイル配設しコイル巻き終わり銅線を、３番コイルに左巻きコイル配設しコイル巻き終わり銅線を、５番コイルに左巻きコイル配設しコイル巻き終わり銅線をＵ中性点（４）とし、Ｕ直列配線出力線２番コイル巻き始め銅線を出力線（１４）とし左巻きコイル配設しコイル巻き終わり銅線を、４番コイルに左巻きコイル配設しコイル巻き終わり銅線を、６番コイルに左巻きコイル配設し巻き終わり銅線をＵ同場所中性点（１７）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設しコイル巻き終わり銅線を、３番コイルに左巻きコイル配設しコイル巻き終わり銅線を、５番コイルに左巻きコイル配設しコイル巻き終わり銅線をＶ中性点（５）とし、Ｖ直列配線出力線２番コイル巻き始め銅線を出力線（１５）とし左巻きコイル配設しコイル巻き終わり銅線を、４番コイルに左巻きコイル配設しコイル巻き終わり銅線を６番コイルに左巻きコイル配設しコイル巻き終わり銅線をＶ同場所中性点（１８）とし、Ｖ発電コイルは２番コイルと４番コイルと６番コイルの左右銅線を左出力線（９）と右出力線（１０）とし、Ｗ線入力線回転励磁１番コイル巻き始め銅線を入力線（３）とし左巻きコイル配設しコイル巻き終わり銅線を、３番コイルに左巻きコイル配設しコイル巻き終わり銅線を、５番コイルに左巻きコイル配設しコイル巻き終わり銅線をＷ中性点（６）とし、Ｗ直列配線出力線２番コイル巻き始め銅線を出力線（１６）としコイル巻き終わり銅線を、４番コイルに左巻きコイル配設しコイル巻き終わり銅線を、６番コイルに左巻きコイル配設しコイル巻き終わり銅線をＷ同場所中性点（１９）とし、Ｗ発電コイルは２番コイルと４番コイルと６番コイルの左右銅線を左出力線（１１）と右出力線（１２）としたこと
（ケ）６極発電モータの分布巻きコイルを１番から７２番のスロットとし、１相と３相が同巻きコイルとし２相が逆巻きコイルとしたステータヨークの配設とし、奇数番号が入力線回転励磁コイルとし偶数番号コイルが同場所番号コイルとし、外側コイルを発電コイルとし内側コイルを直列配線出力線コイルとし、１相と３相を左巻きコイルとし２相を右巻きコイルとした配設は、Ｕ線入力線回転励磁１番コイル巻き始め１番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり５９番スロットの銅線をＵ中性点とし、Ｕ直列配線出力線２番コイル巻き始め１４番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７１番スロットの銅線をＵ同場所中性点とし、Ｕ発電コイルは２番コイルと４番コイルと６番コイルの左右銅線とし１３番と３７番と６１番のスロットの銅線を左出力線とし２４番と４８番と７２番のスロットの銅線を右出力線として、Ｖ入力線回転励磁１番コイル巻き始め１６番スロット銅線を入力線とし右巻きコイル配設しコイル巻き終わり銅線を、５番コイルに右巻きコイル配設しコイル巻き終わり銅線を、３番コイルに右巻きコイル配設しコイル巻き終わり３０番スロットの銅線をＶ中性点とし、Ｖ直列配線出力線２番コイル巻き始め２７番スロットの銅線を出力線とし右巻きコイル配設しコイル巻き終わり銅線を、６番コイルに右巻きコイル配設しコイル巻き終わり銅線を、４番コイルに右巻きコイル配設しコイル巻き終わり４２番スロットの銅線をＶ同場所中性点とし、Ｖ発電コイルは２番コイルト４番コイルと６番コイルの左右銅線とし１７番と４１番と６５番のスロットの銅線を左出力線とし２８番と５２番と４番のスロットの銅線を右出力線として、Ｗ線入力線回転励磁１番コイル巻き始め９番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり６７番スロットの銅線をＷ中性点とし、Ｗ直列配線出力線２番コイル巻き始め２２番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７番スロットの銅線をＷ同場所中性点とし、Ｗ発電コイルは２番コイルと４番コイルと６番コイルの左右銅線とし２１番と４５番と６９番のスロットの銅線を左出力線と３２番と５６番と８番のスロットの銅線を右出力線とした発電モータ
【請求項２】
（コ）請求項１に記載した発電モータを使用した増設は、奇数番号の入力線回転励磁コイルと偶数番号の発電コイル、または、奇数番号の入力線回転励磁コイルと偶数番号の同場所番号コイルとし、何台かで増設する発電モータを同じ極数とし固定コイル巻き方向も同じとした発電モータを増設とし、動力伝達回転軸側を同方向とし横一列に並べる配設とするか、２台を向かい合わせに回転軸をフランジで結合とした配設とするか、３台で三角形に配設し動力伝達回転軸側を同方向に向けて回転力を三角形の中心に集中させ余力とし使用するとして、発電モータの奇数番号が入力線回転励磁左巻きコイルとし、偶数番号が同場所番号コイルの外側コイルが発電コイルとし、内側コイルが直列配線出力線左巻きコイルとした発電モータ増設（図４、または、図６）は、インバータ三相出力線を１番発電モータの入力線回転励磁コイルにスター、もしくは、デルタの結線とし、１番発電モータの直列配線出力線に付けた三相電線を２番発電モータの入力線回転励磁コイルに結線し、２番発電モータの直列配線出力線に付けた三相電線を３番発電モータの入力線回転励磁コイルに結線とした発電モータの回転軸に、タイミングベルト、プーリ、Ｖベルト、歯車、の回転を同調させる部材を配設し、増設した発電モータを連動させて回転位置のタイミングが外れない様にし、各発電コイルはスター結線かデルタ結線とし集合端子台から低電圧起電力が出力とし、２番発電モータと３番発電モータ入力線回転励磁コイルのスター、もしくは、デルタとした結線部から高電圧起電力が出力とし、または、１番発電モータの入力線に付けたインバータ出力線を外し、増設と発電モータ間の電線配線はそのままとし３番発電モータの回転軸を動力モータ、発電モータ、ガソリンまたは軽油のエンジン動力回転軸でプーリとＶベルトで３番発電モータの回転軸を回転させると、２番モータと１番モータとの回転を同調させる部材が必要ない回転とし、固定コイルのコイル巻き数の多い発電モータからコイル巻き数の少ない発電モータに起電力を流すと、コイル巻き数の多い発電モータにコイル巻き数の少ない発電モータが従う回転となりタイミングベルト無し回転とし、発電モータの磁石ロータと鉄芯ロータとの組み合わせでもタイミングベルトが必要ない回転とし、又、発電モータ固定コイルが入力線回転励磁コイルと発電コイルとした発電モータ（図２、または図３、または図５）の増設は、複数増設した発電モータを順番に入力線回転励磁から入力線回転励磁へと三相電線でスター、もしくは、デルタとした結線とし順番に連結し、タイミングを合わせる回転同調部材を回転軸に配設し、何番の発電モータの回転軸を動力で回転させても増量発電が出来るとして、入力線回転励磁コイルの結線部からの出力は高電圧起電力とし、各発電コイルの出力は低電圧起電力とした出力線はスター結線とするかデルタ結線とした集合端子台出力とし、全部の配設した発電モータのロータを強磁力とし、または、１番発電モータから段々とロータの磁力を弱めていく発電モータ配設とし、強磁力ロータの入力線回転励磁コイルと直列配線出力線はデルタ結線とし、弱磁力ロータの入力線回転励磁コイルと直列配線出力線はスター結線としたこと
（サ）ステータヨークからロータを平行移動させるには、ロータを押し出す、または、ロータを引き出すとした平行移動とし、発電モータの回転軸ロータは定位置でステータヨークにロータ（図１０）が格納されているとするか、回転数か電圧かの発電モータの用途に合わせた所にステータヨークを平行移動固定しロータを出した状態とするか、ステータヨークを定位置とし回転軸ロータ全体を固定する両ベアリングの外側をベアリングケース内側（図７）で滑らせて平行移動させてロータを出すとするか、回転軸のロータを平行移動には、回転軸に平行移動長さとした多角形を回転軸に直接加工し動力伝達多角形（図１０）として、ロータの中心も多角柱に加工したロータを多角面で滑らせて平行移動とするか、または、回転軸に直接加工しないで加工物を回転軸に配設は、平行移動長さで多角柱に加工した中心に穴を開け回転軸を圧入し動力伝達多角柱とし、ロータの中心に多角柱穴を加工し回転軸多角柱（５２）が入り多角柱面で滑るとしてロータを平行移動とし、後蓋側の動力伝達多角柱はロータより１０ｍｍ出すとし、出した多角柱は押しパイプ（５５）の中に入る部分とし、ステータヨークからロータ中心を多角柱に加工した電磁石ロータ、磁石挿入鉄芯ロータを押しパイプ（５５）で押してロータを平行移動としたこと
（シ）中央穴あき扇型磁石ロータ（図７）のネオジム磁石を配設したロータ固定金具と加工は、回転軸にロータ定位置から極数に分割した所に平行移動距離の長さの動力伝達が入る溝（３９、図８）を、回転軸の中心に対して垂直と平行に溝を加工し動力伝達板溝（３９）とし、磁石押さえめくれ防止材と動力伝達板を合体させてＴ型としＴ型動力伝達板めくれ防止材の回転軸側を動力伝達溝（４１、図８）に入れ、溝と溝の間に分割パイプ（３３、図８）を配設した分割パイプを押さえる様に円盤を配設した円盤は、前蓋側に空冷ファンと中央穴あき扇型磁石を固定する通しボルト穴を設けた溶接固定円盤（３８、図７）として、分割パイプと溶接固定円盤とＴ型動力伝達板めくれ防止材を溶接固定（４２、図８）し回転軸上を平行に滑る事を確認し、磁極数の分割部に中央穴あき扇型磁石を数枚配設し、後蓋側のロータ固定円盤（３４）で分割パイプを１０ｍｍ後蓋側に出した所を押さえる様にロータ固定円盤（３４）を配設し、ロータ固定円盤には通しボルト穴とＴ型動力伝達板めくれ防止材が入る外周側に下段が設けられており、通しボルト（３２、図７）は溶接固定円盤前蓋側からボルトを差し込みロータ固定円盤ボルト穴に通し、ナットで締めてロータ固定ボルトとしナットは回り止めを施すとし、ロータ固定円盤（３４）の外周側下段に配設したＴ型動力伝達板めくれ防止材（３５、図７）の先端をＶ字加工し、Ｖ字めくれ防止材をロータ固定円盤の下段外側から９０度回転軸側に曲げ、ロータ固定円盤とＶ字めくれ防止材に穴を開けボルトで固定しナット側を周り止めするとした回転軸ロータの前蓋側には、発電モータの内部空冷ファン（５３、図１０）が配設されファンは全発電モータの回転軸に配設とし、ロータ固定金具材はステンレス、または、少し磁石の吸引力に反応するステンレス材としても良いとしたこと
（ス）中央穴あき扇型磁石とステータヨークとの関係は、発電モータのステータヨークのスロットの長さが１５０ｍｍとし、ロータに配設した中央穴あき扇型磁石（３７）の厚さを１０ｍｍとして、１磁石極の配設枚数は１１枚配設の１５対１１とした比率がロータ中央穴あき扇型磁石と２００Ｖ入力線回転励磁コイルには１番相性が良い比率とし、ロータ製作時に必要な中央穴あき扇型磁石の枚数を予測出来るとし、また、ステータヨークの半径が７５ｍｍで中央穴あき扇型磁石の高さ（４０、図８）が３５ｍｍとした磁石の高さで中心までの空間が４０ｍｍとし、磁石の高さと磁石底部の回転軸側からステータヨーク中心までの距離の比率を７対８とした配設が一番相性の良い比率とし回転軸の径を予測出来るとしたこと
【請求項３】
（セ）請求項１と請求項２の部品と加工物を内外に配設する発電モータケースは円筒（図１０）を横にした外観とし、発電モータケースの前後両脇下に配設した固定ベース（図１１）は、モータケースにアングルを平行と水平と外向きとしたアングル脚にフラットバーのリブを内側に補強して、モータケースと接する部分を溶接され発電モータの固定ベースとした発電モータケースは、前後蓋を固定するボルト穴開き角材（図９）をモータケース前後の外側円周上に均等に配設し、後蓋側モータケース内側に高さの低い空冷空気跳ね上げリング（６３、図１０）が溶接されて、他にはモータケースに１個、または２個の入力線と出力線が通る穴を開け、開けた穴上部に入力端子台と出力端子台を配設した穴は、ゴミ進入防止又は漏電防止のゴム縁を配設とし、発電モータの後蓋には２種類の蓋が有り前蓋と後蓋を同型とした蓋（図９）と、前蓋と違う後蓋はベアリングケースの配設だけ違う蓋とし、前後蓋はモータケース円筒の外径から３ｍｍほど外径が大きい蓋とし、蓋内側の外周側に縁を設けた縁は、モータケース円筒の外周側が入り込む縁とし、回転軸の中心が、ずれない様に蓋内側の外周側と縁の蓋側を溶接固定し発電モータの蓋とした蓋の縁には、モータケースに付けたボルト穴開き角材位置と同場所の縁にボルト穴開き角材が溶接されておりモータケースと蓋のボルトによる固定とし、蓋縁の縁内側とモータケースの入り込む外周部を旋盤加工とし、または、旋盤加工しないとした蓋内側から縁の幅は１０ｍｍから５０ｍｍとし、モータケース直径により縁幅を決めるとして、前蓋中央にベアリングが入るベアリングケースを配設し外周側を補強板で補強し、補強板と補強板の中間に空気吸い込み口を開けた前蓋とした前蓋の空気吸い込み口（４５）にフイルタを付け、または、口に配管を付けて空気のゴミが無い所まで配管を伸ばし、伸ばした配管に緩衝部を付けて中に磁石を配設し鉄粉などを吸着するとし、後蓋は前蓋と同じ蓋として開けた穴は空気排出口（５０、図１０）として、又は、開けた穴は空気排出強制電動ファン口（５０）として使用するとした後蓋のベアリングケースは、後蓋材から外側に貫通としたベアリングケース（２９、図１０）の長さはロータ平行移動距離と押しベアリング１個または２個の厚み寸法を足した長さとしたベアリングケース内側を旋盤加工とし、押しベアリング（３０）がベアリングケースの内側と押しベアリングの回転軸とが滑り押しベアリングが移動し、ロータ押しパイプ（３１）でロータを平行移動としたロータ押しパイプは、回転軸に手作業で挿入出来て回転軸に隙間が無いとした押しパイプは中央穴あき扇型磁石ロータ（図７）の押しパイプとして、多角柱ロータの押しパイプ（５５、図１０）の長さは、ロータから後蓋側に多角柱を１０ｍｍ出した所をロータ定位置とし、多角柱を１０ｍｍ出した外側をパイプ内に収めて多角柱に隙間が無いとしたパイプ内径で押しベアリングまでの長さをロータ押しパイプの長さとし、ベアリング側のロータ押しパイプに付けた蓋は、回転軸径の穴を開けた平座金、または、リングを蓋とし、蓋と回転軸側のベアリング回転部に当たる所の蓋全周に突起部（５６）を作り、蓋突起部を押しベアリング（３０）回転軸側の回転部で押した力がロータ押しパイプ蓋と伝わりロータを平行移動としたこと
（ソ）後蓋側の押しベアリングを平行移動させるベアリング押しパイプ（２３）は、後蓋外側まで貫通させたベアリングケース内径に差し込むベアリング押しパイプとし、長さは平行移動距離の長さとしたベアリング押しパイプに蓋をし、ベアリング押しパイプ蓋（２３）とした蓋には中央にナット又はネジを切り、蓋外周に回り止めの切込みを設けたベアリング押しパイプ蓋の外側に、一回り大きい押しボルト受け台パイプを被せ、被せたパイプに蓋を付け蓋中央には押しボルト穴が開けてあるボルト受け台パイプ蓋（２４）とし、蓋の外側から押しボルトを通してベアリング押しパイプ蓋（２３）のナットに押しボルトを通し、ボルト受け台パイプ蓋の蓋内側に押しボルト回転力逃げ防止板（２１）を押しボルトに固定し、押しボルトを締めるとするか、緩めるとした事でベアリング押しパイプとロータを平行移動とし、ボルト受け台パイプ蓋は後蓋外側に固定されて、ボルト受け台パイプ蓋には、側面に直線歯車（２６、図７、図１０）を配設し歯車上部のパイプを細長く切り取り、ベアリング押しパイプ蓋（２３）に付けた移動測定歯車（２７）を出し直線歯車に歯を組み合わせ、移動測定歯車に付けたバネ連動材（２８）でインバータボリュウムダイヤルと連結し、ベアリング押しパイプが平行移動するとダイヤルが回転しインバータ周波数が変えられるとし、又、押しボルトを取り外してベアリング押しパイプ蓋とボルト受け台パイプ蓋との中間に油圧シリンダ（４９）を配設し、油圧ポンプは回転軸の回転で油圧ポンプを回し、または、発電した電気で電動油圧ポンプを回転させ、油圧シリンダで押しベアリングを押すとした油圧ポンプに操作レーバを付けて、押し側、中立、戻す側、としたレーバ位置として油圧シリンダでロータを平行移動としたこと
（タ）発電モータケースに配設するステータヨーク薄板積層材の製作と固定は、薄板を製作時に入力線回転励磁コイルのスロットと発電コイルのスロットは同型とするか、やや小さいスロットとするか、半分の大きさのスロットとし製作したステータヨークを、隙間材の両端に突起部を設けた突起部で積層方向にステータヨークを挟み込み固定とした隙間材（５７、図１１）を、ステータヨークの外周側に均等に配設しステータヨークの長さとした隙間材に、何箇所か穴を開けた隙間材穴からステータヨークを溶接しステータヨークと隙間材を溶接固定とし、隙間材で固定されたステータヨークをモータケースに配設しモータケースとステータヨークとの隙間材と隙間材との空間を空気通路（５１）とし、モータケースの前蓋内側から円錐台で空気吸い込み口全体を外側から包む様に前蓋縁側の口外側からモータケース内側に広い薄板を円錐台に加工し、モータケース内側の回転軸に配設した内部空冷ファン下部まで差し込み固定とした空冷空気方向指示板（５４、図１０）とし、前蓋側回転軸に付けた内部空冷ファン（５３）の空気を後蓋側に流すとした流れを、空気誘導材（６１）で隙間材空気通路（５１）に誘導するとした空気誘導材も円錐台とし、スロットから出した銅線の半分の高さ、又は、銅線上から隙間材側に広い円錐台とし、隙間材突起部に固定とした円錐台の材質は薄い絶縁物としたこと
【手続補正書】
【提出日】平成25年6月13日(2013.6.13)
【手続補正１】
【補正対象書類名】特許請求の範囲
【補正対象項目名】全文
【補正方法】変更
【補正の内容】
【特許請求の範囲】
【請求項１】
（ア）発電モータ、部品と名称後の括弧内は図面番号または符号番号とし、油圧ポンプと油圧シリンダまたは油圧ジャッキ（４９）、直線歯車（２６）、移動測定歯車（２７）、押しパイプと受け台（２４）、平行移動ロータ、中央穴あき扇型磁石（３７）、磁石ロータ固定金具、平行移動材、動力伝達溝（３９）、電動ファン（５０）、同場所番号コイル、蓄電池、吸引空気方向指示板（５４）、内部空冷ファン（５３）、連動材バネ（２８）、隙間材（５７）、空気誘導材（６１）、整流器、ＤＣ−ＡＣ昇圧機、回転軸動力伝達部材、多角柱（５２）、フイルタ、の機器と部材とで機能する発電モータとした発電モータはインバータ三相２００Ｖの出力で回転駆動と発電を同時に実行するとした発電モータのモータケースには、ロータを平行移動させる油圧ポンプと油圧シリンダ（４９）、直線歯車（２６）、移動測定歯車（２７）、押しパイプと受け台（２４）、連動材バネ（２８）がモータケースの後蓋に配設され、押しパイプと受け台（２４）の受け台を後蓋外側に固定しボルト受け台パイプ蓋として配設し、押しボルトを緩める、または、締めるとした事で、押しパイプでロータを平行移動とし、または、押しボルトを取り外して油圧シリンダ（４９）で平行移動をさせるとしたボルト受け台パイプ蓋の側面には直線歯車（２６）を配設し、押しパイプ蓋には移動測定歯車（２７）を配設し双方の歯車を組み合わせて、押しパイプ蓋が移動することで連動材バネ（２８）を回転させてインバータボリュウムダイヤルを回転し周波数を変えるとし、電動ファン（５０）は後蓋に配設し、吸引空気方向指示板（５４）は前蓋内側に配設し、フイルタは前蓋の空気吸引口にフイルタを付ける、または、吸引口に配管を付け空気のゴミが無い所まで配管を伸ばすとし、ステータヨークは回転励磁コイルと、発電コイルと、同場所番号コイルと、隙間材（５７）と、空気誘導材（６１）とを備え、隙間材（５７）は、隙間材で固定されたステータヨークをモータケースに配設し隙間材（５７）と隙間材（５７）との空間を空気通路（５１）とし隙間材突起部に空気誘導材（６１）を配設として、平行移動ロータは、回転軸を固定する両ベアリングをベアリングケース内で滑らせて平行移動とし、または、中央穴あき扇型磁石（３７）、磁石ロータ固定金具、平行移動材と動力伝達溝と回転動力伝達板とでロータだけ平行移動、多角柱を使用してロータだけを平行移動とし、発電モータのロータは、ステータヨーク内にロータが格納された状態で後蓋側または前蓋側に平行移動させステータヨークをモータケースに固定し、ロータを平行移動しステータヨークからロータを引き出すことによってインバータの特定した出力周波数範囲内を少ない消費電力で低速から高速とした回転数と起電力の発電モータとし、発電モータに使用される回転軸ロータは、中央穴あき扇型磁石ロータ、磁石挿入鉄芯ロータ、電磁石ロータ、鉄芯ロータ、かご型鉄芯ロータ、永久磁石ロータから選択とし、発電モータの固定コイルは、２極発電モータ以外の４極発電モータと６極発電モータの固定コイルは、奇数番号が入力線回転励磁コイルとし偶数番号は発電コイルとし、または、奇数番号は入力線回転励磁コイルとし偶数番号は同場所番号コイルとして、２極発電モータの固定コイルは１番コイルと２番コイルとした同場所番号コイルとした各コイルを配設するスロットを回転軸方向から見て右回り通し番号の外側スロットに配設するコイルを発電コイルとし内側スロットに配設するコイルを回転励磁コイルとして、発電コイルと同場所番号コイルのコイル巻き数、又、同場所番号コイルの外側コイルと内側コイルを並列配線し発電コイルとしたコイル巻き数は入力線回転励磁コイル巻き数と同じコイル巻き数とするか、又は、やや少ないコイル巻き数とするか、半分のコイル巻き数として、直列配線出力線コイルと発電コイルのコイル巻き数を減らす事で、各コイルから出力した時の出力コイル励磁を弱めロータの回転に負荷とならない様にしたコイル配設とし、発電コイルが接続される端子台からの出力の仕方は記載した全発電モータに適用されるとし、発電モータに配設された各ＵＶＷ三相発電コイルは発電コイル個々の左右銅線を左出力線と右出力線とし、全コイルを単相発電とし番号別に各出力端子台で単相出力とするか、番号別の各端子台で三相ＵＶＷ各発電コイルの同方向出力線を三本束にして中性点とし、反対方向の出力線を各端子台で三相スター結線出力とするか、各端子台でスター結線された出力端子台を一箇所に集合させて集合端子台スター結線出力とするか、集合端子台でスター結線とした中性点を外し、集合端子台でデルタ結線としデルタ出力としても良いとし、また、鉄芯ロータ、かご型鉄芯ロータを内蔵した発電モータの三相直列配線出力線に三相コンデンサーを付けると少し消費電力が下げられるとして、出力端子台から出力した起電力を蓄電池電圧より少し高めの電圧とした交流を整流器に通して直流に変換し、直流を電線で蓄電池と変換機器に繋ぐとした蓄電池は、鉛蓄電池、リチュムイオン蓄電池、電気二重層キャパシター、とした急速充電と普通充電とを混合した蓄電池とし、直流電圧が高めの為に蓄電池に充電状態を保ちながら直流出力をインバータもしくは直流変換機を通して、ＤＣ−ＤＣまたはＤＣ−ＡＣとして１００Ｖ、２００Ｖ、３００Ｖ、４００Ｖに昇圧した直流か交流に変換した電気で、発電モータを回転駆動させているインバータに入電し発電モータを１台、又は、２台を連動回転させ出力端子台から出力した起電力を蓄電池電圧より少し高めの電圧とした交流を、整流器に戻すとした起電力の流れを作り循環起電力としたこと
（イ）前記（ア）に記載した全発電モータに適用するとした発電モータの前後とコイル方向は、発電モータの回転軸動力伝達軸側を前蓋側とし、固定コイル引き出し銅線を付けるステータヨーク側を回転軸方向から見ての左右方向とし、スロット番号とコイル番号を右回り通し番号とした記載、以後は発電モータの前後とコイルとスロットの番号と左右方向の説明文と、又、各発電モータの入力線回転励磁コイルと直列配線出力線コイルを左巻きコイルと記載したが、中性点から逆に電流を流すと記載したコイル巻き方向と逆方向巻きコイルとなり、入力線回転励磁コイルと直列配線出力線コイルとした両方コイルの入力線と出力線を中性点に変更し、配設されていた中性点を入力線回転励磁コイルと直列配線出力線コイルと変更すると右巻きコイルとなり、右巻きコイルとした発電モータも出来るとして、２極発電モータの分布巻きコイルを１番から２４番のスロットに配設し同場所番号コイルとし、外側コイルを発電コイルとし内側コイルを入力線回転励磁コイルとし、三相各ＵＶＷ入力線回転励磁内側１番コイルを左巻きコイルとして、三相各ＵＶＷ入力線回転励磁内側２番コイルを右巻きコイルとした配設は、三相各ＵＶＷ入力線回転励磁１番コイル巻き始め銅線を（１、２、３）入力線とし、三相入力線回転励磁２番コイル巻き始め銅線を（１、２、３）入力線とし、各コイル巻き終わり銅線を中性点（４、５、６）とし、発電コイルは各ＵＶＷ発電１番コイルと各ＵＶＷ発電２番コイルの左右銅線を左出力線（７、９、１１）と右出力線（８、１０、１２）としたこと
（ウ）２極発電モータの分布巻きコイルを１番からから３６番のスロットに配設、同場所番号コイルとし内側コイルを入力線回転励磁コイルとし外側コイルを発電コイルとし、三相ＵＶＷ各入力線回転励磁１番コイル巻き始め銅線を（１、２、３）入力線として左巻きコイル配設、三相ＵＶＷ各入力線回転励磁２番コイル巻き始め銅線を（１、２、３）入力線として右巻きコイル配設、三相ＵＶＷ各入力線回転励磁コイルの、コイル巻き終わり銅線を中性点（４、５、６）として、発電コイルは各ＵＶＷ発電１番コイルと各ＵＶＷ発電２番コイルの左右銅線を左出力線（７、９、１１）と右出力線（８、１０、１２）としたこと
（エ）４極発電モータの分布巻きコイルを１番から２４番のスロットとしてステータヨークに配設、奇数番号を入力線回転励磁コイルで偶数番号が発電コイルとした配設は、Ｕ線入力線回転励磁１番コイル巻き始め銅線を入力線（１）として左巻きコイルを配設し巻き終わり銅線を、３番コイルに左巻きコイルを配設し巻き終わり銅線をＵ中性点（４）とし、Ｕ発電コイルは２番コイルと４番コイルの左右銅線を左出力線（７）と右出力線（８）とし、Ｖ線入力線回転励磁１番コイル巻き始め銅線を入力線（２）とし左巻きコイル配設し巻き終わり銅線を、３番コイルに左巻きコイル配設し巻き終わり銅線をＶ中性点（５）とし、Ｖ発電コイルは２番コイルと４番コイルの左右銅線を左出力線（９）と右出力線（１０）とし、Ｗ入力線回転励磁１番コイル巻き始め銅線を入力線（３）とし左巻きコイル配設し巻き終わり銅線を、３番コイルに左巻きコイル配設し巻き終わり銅線をＷ中性点（６）とし、Ｗ発電コイルは２番コイルと４番コイルの左右銅線を左出力線（１１）と右出力線（１２）とした単相発電コイルとしたこと
（オ）４極発電モータの１相と３相が同巻きコイルで２相が逆巻きコイルとした分布巻きコイルを１番から４８番のスロットのステータヨークに配設、奇数番号コイルが入力線回転励磁コイルで偶数番号が同場所番号コイルとし、外側コイルを発電コイルとし内側コイルを直列配線出力線コイルとし、入力線回転励磁コイルと直列配線出力線コイルの１相と３相が左巻きコイルで２相が右巻きコイルとした配設は、Ｕ線入力線回転励磁１番コイル巻き始め１番スロットの銅線を入力線として左巻きコイル配設としコイル巻き終わり１１番のスロット銅線を、３番コイルに左巻きコイル配設としコイル巻き終わり３５番スロットの銅線をＵ中性点とし、Ｕ直列配線出力線２番コイル巻き始め１４番スロットの銅線を出力線として左巻きコイル配設としコイル巻き終わり銅線を、４番コイルに左巻きコイル配設としコイル巻き終わり４７番スロットの銅線をＵ同場所中性点とし、Ｕ発電コイルは２番コイルと４番コイルの左右銅線として１３番と３７番のスロット銅線を左出力線とし２４番と４８番のスロット銅線を右出力線として、Ｖ線入力線回転励磁１番コイル巻き始め１６番スロットの銅線を入力線として右巻きコイル配設とし巻き終わり６番のスロット銅線を、３番コイルに右巻きコイル配設とし巻き終わり３０番スロットの銅線をＶ中性点とし、Ｖ直列配線出力線２番コイル巻き始め２７番スロットの銅線を出力線として右巻きコイル配設としコイル巻き終わり銅線を、４番コイルに右巻きコイル配設としコイル巻き終わり４２番スロットの銅線をＶ同場所中性点とし、Ｖ発電コイルは２番コイルと４番コイルの左右銅線として１７番と４１番のスロット銅線を左出力線とし２８番と４番のスロット銅線を右出力線として、Ｗ線入力線回転励磁１番コイル巻き始め９番のスロット銅線を入力線として左巻きコイル配設としコイル巻き終わり１９番のスロット銅線を、３番コイルに左巻きコイル配設としコイル巻き終わり４３番のスロット銅線をＷ中性点とし、Ｗ直列配線出力線２番コイル巻き始め２２番のスロット銅線を出力線として左巻きコイル配設としコイル巻き終わり銅線を４番コイルに左巻きコイル配設としコイル巻き終わり７番のスロット銅線をＷ同場所中性点とし、Ｗ発電コイルは２番コイルと４番コイルの左右銅線として２１番と４５番のスロット銅線を左出力線とし３２番と８番のスロット銅線を右出力線としたこと
（カ）４極発電モータの分布巻きコイルを１番から４８番のスロットとしてステータヨークに配設、奇数番号コイルが入力線回転励磁コイルで偶数番号コイルが同場所番号コイルとし、外側コイルを発電コイルとし内側コイルを直列配線出力線コイルとし、入力線回転励磁コイルと直列配線出力線コイルを左巻きコイルとした配設は、Ｕ線入力線回転励磁１番コイル巻き始め銅線を入力線（１）として左巻きコイル配設としコイル巻き終わり銅線を、３番コイルに左巻きコイル配設としコイル巻き終わり銅線をＵ中性点（４）とし、Ｕ直列配線出力線２番コイル巻き始め銅線を出力線（１４）として左巻きコイル配設してコイル巻き終わり銅線を、４番コイルに左巻きコイル配設としコイル巻き終わり銅線をＵ同場所中性点（１７）とし、Ｕ発電コイルは２番コイルと４番コイルの左右銅線を左出力線（７）と右出力線（８）とし、Ｖ線入力線回転励磁１番コイル巻き始め銅線を入力線（２）として左巻きコイル配設としコイル巻き終わり銅線を、３番コイルに左巻きコイル配設としコイル巻き終わり銅線をＶ中性点（５）とし、Ｖ直列配線出力線２番コイル巻き始め銅線を出力線（１５）として左巻きコイル配設してコイル巻き終わり銅線を、４番コイルに左巻きコイル配設としコイル巻き終わり銅線をＶ同場所中性点（１８）とし、Ｖ発電コイルは２番コイルと４番コイルの左右銅線を左出力線（９）と右出力線（１０）とし、Ｗ線入力線回転励磁１番コイル巻き始め銅線を入力線（３）として左巻きコイル配設としコイル巻き終わり銅線を、３番コイルに左巻きコイル配設としコイル巻き終わり銅線をＷ中性点（６）とし、Ｗ直列配線出力線２番コイル巻き始め銅線を出力線（１６）として左巻きコイル配設としコイル巻き終わり銅線を、４番コイルに左巻きコイル配設としコイル巻き終わり銅線をＷ同場所中性点（１９）とし、発電コイルは２番コイルと４番コイルの左右銅線を左出力線（１１）と右出力線（１２）としたこと
（キ）６極発電モータの分布巻きコイルを１番から３６番のスロットとしステータヨークに配設、奇数番号が入力線回転励磁コイルで偶数番号が発電コイルとし、入力回転励磁コイルを左巻きコイルとした配設は、Ｕ線入力線回転励磁１番コイル巻き始め銅線を入力線（１）とし左巻きコイル配設してコイル巻き終わり銅線を、３番コイルに左巻きコイル配設してコイル巻き終わり銅線を、５番コイルに左巻きコイル配設してコイル巻き終わり銅線をＵ中性点（４）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設してコイル巻き終わり銅線を、３番コイルに左巻きコイル配設しコイル巻き終わり銅線を、５番コイルに左巻きコイル配設してコイル巻き終わり銅線をＶ中性点（５）とし、Ｖ発電コイルは２番コイルト４番コイルと６番コイルの左右銅線を左出力線（９）と右出力線（１０）とし、Ｗ線入力線回転励磁１番コイル巻き始め銅線を入力線（３）として左巻きコイル配設してコイル巻き終わり銅線を、３番コイルに左巻きコイル配設して巻き終わり銅線を、５番コイルに左巻きコイル配設して巻き終わり銅線をＷ中性点（６）とし、Ｗ発電コイルは２番コイルと４番コイルと６番コイルの左右銅線を左出力線（１１）と右出力線（１２）としたこと
（ク）６極発電モータの分布巻きコイルを１番から７２番のスロットとしステータヨークに配設、奇数番号が入力線回転励磁コイルで偶数番号が同場所番号コイルとし、外側コイルが発電コイルで内側コイルが直列配線出力線コイルとし、入力線回転励磁コイルと直列配線出力線コイルを左巻きコイルとした配設は、Ｕ線入力線回転励磁１番コイル巻き始め銅線を入力線（１）とし左巻きコイル配設しコイル巻き終わり銅線を、３番コイルに左巻きコイル配設しコイル巻き終わり銅線を、５番コイルに左巻きコイル配設しコイル巻き終わり銅線をＵ中性点（４）とし、Ｕ直列配線出力線２番コイル巻き始め銅線を出力線（１４）とし左巻きコイル配設しコイル巻き終わり銅線を、４番コイルに左巻きコイル配設しコイル巻き終わり銅線を、６番コイルに左巻きコイル配設し巻き終わり銅線をＵ同場所中性点（１７）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設しコイル巻き終わり銅線を、３番コイルに左巻きコイル配設しコイル巻き終わり銅線を、５番コイルに左巻きコイル配設しコイル巻き終わり銅線をＶ中性点（５）とし、Ｖ直列配線出力線２番コイル巻き始め銅線を出力線（１５）とし左巻きコイル配設しコイル巻き終わり銅線を、４番コイルに左巻きコイル配設しコイル巻き終わり銅線を６番コイルに左巻きコイル配設しコイル巻き終わり銅線をＶ同場所中性点（１８）とし、Ｖ発電コイルは２番コイルと４番コイルと６番コイルの左右銅線を左出力線（９）と右出力線（１０）とし、Ｗ線入力線回転励磁１番コイル巻き始め銅線を入力線（３）とし左巻きコイル配設しコイル巻き終わり銅線を、３番コイルに左巻きコイル配設しコイル巻き終わり銅線を、５番コイルに左巻きコイル配設しコイル巻き終わり銅線をＷ中性点（６）とし、Ｗ直列配線出力線２番コイル巻き始め銅線を出力線（１６）としコイル巻き終わり銅線を、４番コイルに左巻きコイル配設しコイル巻き終わり銅線を、６番コイルに左巻きコイル配設しコイル巻き終わり銅線をＷ同場所中性点（１９）とし、Ｗ発電コイルは２番コイルと４番コイルと６番コイルの左右銅線を左出力線（１１）と右出力線（１２）としたこと
（ケ）６極発電モータの分布巻きコイルを１番から７２番のスロットとし、１相と３相が同巻きコイルとし２相が逆巻きコイルとしたステータヨークの配設とし、奇数番号が入力線回転励磁コイルとし偶数番号コイルが同場所番号コイルとし、外側コイルを発電コイルとし内側コイルを直列配線出力線コイルとし、１相と３相を左巻きコイルとし２相を右巻きコイルとした配設は、Ｕ線入力線回転励磁１番コイル巻き始め１番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり５９番スロットの銅線をＵ中性点とし、Ｕ直列配線出力線２番コイル巻き始め１４番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７１番スロットの銅線をＵ同場所中性点とし、Ｕ発電コイルは２番コイルと４番コイルと６番コイルの左右銅線とし１３番と３７番と６１番のスロットの銅線を左出力線とし２４番と４８番と７２番のスロットの銅線を右出力線として、Ｖ入力線回転励磁１番コイル巻き始め１６番スロット銅線を入力線とし右巻きコイル配設しコイル巻き終わり銅線を、５番コイルに右巻きコイル配設しコイル巻き終わり銅線を、３番コイルに右巻きコイル配設しコイル巻き終わり３０番スロットの銅線をＶ中性点とし、Ｖ直列配線出力線２番コイル巻き始め２７番スロットの銅線を出力線とし右巻きコイル配設しコイル巻き終わり銅線を、６番コイルに右巻きコイル配設しコイル巻き終わり銅線を、４番コイルに右巻きコイル配設しコイル巻き終わり４２番スロットの銅線をＶ同場所中性点とし、Ｖ発電コイルは２番コイルト４番コイルと６番コイルの左右銅線とし１７番と４１番と６５番のスロットの銅線を左出力線とし２８番と５２番と４番のスロットの銅線を右出力線として、Ｗ線入力線回転励磁１番コイル巻き始め９番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり６７番スロットの銅線をＷ中性点とし、Ｗ直列配線出力線２番コイル巻き始め２２番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７番スロットの銅線をＷ同場所中性点とし、Ｗ発電コイルは２番コイルと４番コイルと６番コイルの左右銅線とし２１番と４５番と６９番のスロットの銅線を左出力線と３２番と５６番と８番のスロットの銅線を右出力線とした発電モータ
【請求項２】
（コ）請求項１に記載した発電モータを使用した増設は、奇数番号の入力線回転励磁コイルと偶数番号の発電コイル、または、奇数番号の入力線回転励磁コイルと偶数番号の同場所番号コイルとし、何台かで増設する発電モータを同じ極数とし固定コイル巻き方向も同じとした発電モータを増設とし、動力伝達回転軸側を同方向とし横一列に並べる配設とするか、２台を向かい合わせに回転軸をフランジで結合とした配設とするか、３台で三角形に配設し動力伝達回転軸側を同方向に向けて回転力を三角形の中心に集中させ余力とし使用するとして、発電モータの奇数番号が入力線回転励磁左巻きコイルとし、偶数番号が同場所番号コイルの外側コイルが発電コイルとし、内側コイルが直列配線出力線左巻きコイルとした発電モータ増設は、インバータ三相出力線を１番発電モータの入力線回転励磁コイルにスター、もしくは、デルタの結線とし、１番発電モータの直列配線出力線に付けた三相電線を２番発電モータの入力線回転励磁コイルに結線し、２番発電モータの直列配線出力線に付けた三相電線を３番発電モータの入力線回転励磁コイルに結線とした発電モータの回転軸に、タイミングベルト、プーリ、Ｖベルト、歯車、の回転を同調させる部材を配設し、増設した発電モータを連動させて回転位置のタイミングが外れない様にし、各発電コイルはスター結線かデルタ結線とし集合端子台から低電圧起電力が出力とし、２番発電モータと３番発電モータ入力線回転励磁コイルのスター、もしくは、デルタとした結線部から高電圧起電力が出力とし、または、１番発電モータの入力線に付けたインバータ出力線を外し、増設と発電モータ間の電線配線はそのままとし３番発電モータの回転軸を動力モータ、発電モータ、ガソリンまたは軽油のエンジン動力回転軸でプーリとＶベルトで３番発電モータの回転軸を回転させると、２番モータと１番モータとの回転を同調させる部材が必要ない回転とし、固定コイルのコイル巻き数の多い発電モータからコイル巻き数の少ない発電モータに起電力を流すと、コイル巻き数の多い発電モータにコイル巻き数の少ない発電モータが従う回転となりタイミングベルト無し回転とし、発電モータの磁石ロータと鉄芯ロータとの組み合わせでもタイミングベルトが必要ない回転とし、又、発電モータ固定コイルが入力線回転励磁コイルと発電コイルとした発電モータの増設は、複数増設した発電モータを順番に入力線回転励磁から入力線回転励磁へと三相電線でスター、もしくは、デルタとした結線とし順番に連結し、タイミングを合わせる回転同調部材を回転軸に配設し、何番の発電モータの回転軸を動力で回転させても増量発電が出来るとして、入力線回転励磁コイルの結線部からの出力は高電圧起電力とし、各発電コイルの出力は低電圧起電力とした出力線はスター結線とするかデルタ結線とした集合端子台出力とし、全部の配設した発電モータのロータを強磁力とし、または、１番発電モータから段々とロータの磁力を弱めていく発電モータ配設とし、強磁力ロータの入力線回転励磁コイルと直列配線出力線はデルタ結線とし、弱磁力ロータの入力線回転励磁コイルと直列配線出力線はスター結線としたこと
（サ）ステータヨークからロータを平行移動させるには、ロータを押し出す、または、ロータを引き出すとした平行移動とし、発電モータの回転軸ロータは定位置でステータヨークにロータが格納されているとするか、回転数か電圧かの発電モータの用途に合わせた所にステータヨークを平行移動固定しロータを出した状態とするか、ステータヨークを定位置とし回転軸ロータ全体を固定する両ベアリングの外側をベアリングケース内側で滑らせて平行移動させてロータを出すとするか、回転軸のロータを平行移動には、回転軸に平行移動長さとした多角形を回転軸に直接加工し動力伝達多角形として、ロータの中心も多角柱に加工したロータを多角面で滑らせて平行移動とするか、または、回転軸に直接加工しないで加工物を回転軸に配設は、平行移動長さで多角柱に加工した中心に穴を開け回転軸を圧入し動力伝達多角柱とし、ロータの中心に多角柱穴を加工し回転軸多角柱（５２）が入り多角柱面で滑るとしてロータを平行移動とし、後蓋側の動力伝達多角柱はロータより１０ｍｍ出すとし、出した多角柱は押しパイプ（５５）の中に入る部分とし、ステータヨークからロータ中心を多角柱に加工した電磁石ロータ、磁石挿入鉄芯ロータを押しパイプ（５５）で押してロータを平行移動としたこと
（シ）中央穴あき扇型磁石ロータのネオジム磁石を配設したロータ固定金具と加工は、回転軸にロータ定位置から極数に分割した所に平行移動距離の長さの動力伝達が入る溝（３９）を、回転軸の中心に対して垂直と平行に溝を加工し動力伝達板溝（３９）とし、磁石押さえめくれ防止材と動力伝達板を合体させてＴ型としＴ型動力伝達板めくれ防止材の回転軸側を動力伝達溝（４１）に入れ、溝と溝の間に分割パイプ（３３）を配設した分割パイプを押さえる様に円盤を配設した円盤は、前蓋側に空冷ファンと中央穴あき扇型磁石を固定する通しボルト穴を設けた溶接固定円盤（３８）として、分割パイプと溶接固定円盤とＴ型動力伝達板めくれ防止材を溶接固定（４２）し回転軸上を平行に滑る事を確認し、磁極数の分割部に中央穴あき扇型磁石を数枚配設し、後蓋側のロータ固定円盤（３４）で分割パイプを１０ｍｍ後蓋側に出した所を押さえる様にロータ固定円盤（３４）を配設し、ロータ固定円盤には通しボルト穴とＴ型動力伝達板めくれ防止材が入る外周側に下段が設けられており、通しボルト（３２）は溶接固定円盤前蓋側からボルトを差し込みロータ固定円盤ボルト穴に通し、ナットで締めてロータ固定ボルトとしナットは回り止めを施すとし、ロータ固定円盤（３４）の外周側下段に配設したＴ型動力伝達板めくれ防止材（３５）の先端をＶ字加工し、Ｖ字めくれ防止材をロータ固定円盤の下段外側から９０度回転軸側に曲げ、ロータ固定円盤とＶ字めくれ防止材に穴を開けボルトで固定しナット側を周り止めするとした回転軸ロータの前蓋側には、発電モータの内部空冷ファン（５３）が配設されファンは全発電モータの回転軸に配設とし、ロータ固定金具材はステンレス、または、少し磁石の吸引力に反応するステンレス材としても良いとしたこと
（ス）中央穴あき扇型磁石とステータヨークとの関係は、発電モータのステータヨークのスロットの長さが１５０ｍｍとし、ロータに配設した中央穴あき扇型磁石（３７）の厚さを１０ｍｍとして、１磁石極の配設枚数は１１枚配設の１５対１１とした比率がロータ中央穴あき扇型磁石と２００Ｖ入力線回転励磁コイルには１番相性が良い比率とし、ロータ製作時に必要な中央穴あき扇型磁石の枚数を予測出来るとし、また、ステータヨークの半径が７５ｍｍで中央穴あき扇型磁石の高さ（４０）が３５ｍｍとした磁石の高さで中心までの空間が４０ｍｍとし、磁石の高さと磁石底部の回転軸側からステータヨーク中心までの距離の比率を７対８とした配設が一番相性の良い比率とし回転軸の径を予測出来るとした発電モータ
【請求項３】
（セ）請求項１と請求項２の部品と加工物を内外に配設する発電モータケースは円筒を横にした外観とし、発電モータケースの前後両脇下に配設した固定ベースは、モータケースにアングルを平行と水平と外向きとしたアングル脚にフラットバーのリブを内側に補強して、モータケースと接する部分を溶接され発電モータの固定ベースとした発電モータケースは、前後蓋を固定するボルト穴開き角材をモータケース前後の外側円周上に均等に配設し、後蓋側モータケース内側に高さの低い空冷空気跳ね上げリング（６３）が溶接されて、他にはモータケースに１個、または２個の入力線と出力線が通る穴を開け、開けた穴上部に入力端子台と出力端子台を配設した穴は、ゴミ進入防止又は漏電防止のゴム縁を配設とし、発電モータの後蓋には２種類の蓋が有り前蓋と後蓋を同型とした蓋と、前蓋と違う後蓋はベアリングケースの配設だけ違う蓋とし、前後蓋はモータケース円筒の外径から３ｍｍほど外径が大きい蓋とし、蓋内側の外周側に縁を設けた縁は、モータケース円筒の外周側が入り込む縁とし、回転軸の中心が、ずれない様に蓋内側の外周側と縁の蓋側を溶接固定し発電モータの蓋とした蓋の縁には、モータケースに付けたボルト穴開き角材位置と同場所の縁にボルト穴開き角材が溶接されておりモータケースと蓋のボルトによる固定とし、蓋縁の縁内側とモータケースの入り込む外周部を旋盤加工とし、または、旋盤加工しないとした蓋内側から縁の幅は１０ｍｍから５０ｍｍとし、モータケース直径により縁幅を決めるとして、前蓋中央にベアリングが入るベアリングケースを配設し外周側を補強板で補強し、補強板と補強板の中間に空気吸い込み口を開けた前蓋とした前蓋の空気吸い込み口（４５）にフイルタを付け、または、口に配管を付けて空気のゴミが無い所まで配管を伸ばし、伸ばした配管に緩衝部を付けて中に磁石を配設し鉄粉などを吸着するとし、後蓋は前蓋と同じ蓋として開けた穴は空気排出口（５０）として、又は、開けた穴は空気排出強制電動ファン口（５０）として使用するとした後蓋のベアリングケースは、後蓋材から外側に貫通としたベアリングケース（２９）の長さはロータ平行移動距離と押しベアリング１個または２個の厚み寸法を足した長さとしたベアリングケース内側を旋盤加工とし、押しベアリング（３０）がベアリングケースの内側と押しベアリングの回転軸とが滑り押しベアリングが移動し、ロータ押しパイプ（３１）でロータを平行移動としたロータ押しパイプは、回転軸に手作業で挿入出来て回転軸に隙間が無いとした押しパイプは中央穴あき扇型磁石ロータの押しパイプとして、多角柱ロータの押しパイプ（５５）の長さは、ロータから後蓋側に多角柱を１０ｍｍ出した所をロータ定位置とし、多角柱を１０ｍｍ出した外側をパイプ内に収めて多角柱に隙間が無いとしたパイプ内径で押しベアリングまでの長さをロータ押しパイプの長さとし、ベアリング側のロータ押しパイプに付けた蓋は、回転軸径の穴を開けた平座金、または、リングを蓋とし、蓋と回転軸側のベアリング回転部に当たる所の蓋全周に突起部（５６）を作り、蓋突起部を押しベアリング（３０）回転軸側の回転部で押した力がロータ押しパイプ蓋と伝わりロータを平行移動としたこと
（ソ）後蓋側の押しベアリングを平行移動させるベアリング押しパイプ（２３）は、後蓋外側まで貫通させたベアリングケース内径に差し込むベアリング押しパイプとし、長さは平行移動距離の長さとしたベアリング押しパイプに蓋をし、ベアリング押しパイプ蓋（２３）とした蓋には中央にナット又はネジを切り、蓋外周に回り止めの切込みを設けたベアリング押しパイプ蓋の外側に、一回り大きい押しボルト受け台パイプを被せ、被せたパイプに蓋を付け蓋中央には押しボルト穴が開けてあるボルト受け台パイプ蓋（２４）とし、蓋の外側から押しボルトを通してベアリング押しパイプ蓋（２３）のナットに押しボルトを通し、ボルト受け台パイプ蓋の蓋内側に押しボルト回転力逃げ防止板（２１）を押しボルトに固定し、押しボルトを締めるとするか、緩めるとした事でベアリング押しパイプとロータを平行移動とし、ボルト受け台パイプ蓋は後蓋外側に固定されて、ボルト受け台パイプ蓋には、側面に直線歯車（２６）を配設し歯車上部のパイプを細長く切り取り、ベアリング押しパイプ蓋（２３）に付けた移動測定歯車（２７）を出し直線歯車に歯を組み合わせ、移動測定歯車に付けたバネ連動材（２８）でインバータボリュウムダイヤルと連結し、ベアリング押しパイプが平行移動するとダイヤルが回転しインバータ周波数が変えられるとし、又、押しボルトを取り外してベアリング押しパイプ蓋とボルト受け台パイプ蓋との中間に油圧シリンダ（４９）を配設し、油圧ポンプは回転軸の回転で油圧ポンプを回し、または、発電した電気で電動油圧ポンプを回転させ、油圧シリンダで押しベアリングを押すとした油圧ポンプに操作レーバを付けて、押し側、中立、戻す側、としたレーバ位置として油圧シリンダでロータを平行移動としたこと
（タ）発電モータケースに配設するステータヨーク薄板積層材の製作と固定は、薄板を製作時に入力線回転励磁コイルのスロットと発電コイルのスロットは同型とするか、やや小さいスロットとするか、半分の大きさのスロットとし製作したステータヨークを、隙間材の両端に突起部を設けた突起部で積層方向にステータヨークを挟み込み固定とした隙間材（５７）を、ステータヨークの外周側に均等に配設しステータヨークの長さとした隙間材に、何箇所か穴を開けた隙間材穴からステータヨークを溶接しステータヨークと隙間材を溶接固定とし、隙間材で固定されたステータヨークをモータケースに配設しモータケースとステータヨークとの隙間材と隙間材との空間を空気通路（５１）とし、モータケースの前蓋内側から円錐台で空気吸い込み口全体を外側から包む様に前蓋縁側の口外側からモータケース内側に広い薄板を円錐台に加工し、モータケース内側の回転軸に配設した内部空冷ファン下部まで差し込み固定とした空冷空気方向指示板（５４）とし、前蓋側回転軸に付けた内部空冷ファン（５３）の空気を後蓋側に流すとした流れを、空気誘導材（６１）で隙間材空気通路（５１）に誘導するとした空気誘導材も円錐台とし、スロットから出した銅線の半分の高さ、又は、銅線上から隙間材側に広い円錐台とし、隙間材突起部に固定とした円錐台の材質は薄い絶縁物とした発電モータ
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
（ア）発電モータは、インバータ、油圧ポンプと油圧シリンダまたは油圧ジャッキ（４９）、直線歯車（２６）、移動測定歯車（２７）、押しパイプと受け台（２４）、平行移動ロータ、中央穴あき扇型磁石（３７）、磁石ロータ固定金具、平行移動材、動力伝達溝（３９）、電動ファン（５０）、同場所番号コイル、蓄電池、吸引空気方向指示板（５４）、内部空冷ファン（５３）、連動材バネ（２８）、隙間材（５７）、空気誘導材（６１）、整流器、ＤＣ−ＡＣ昇圧機、回転軸動力伝達部材、多角柱（５２）、フイルタ、の機器と部材とで機能する発電モータとし、発電モータはインバータ三相２００Ｖの出力で回転駆動と発電を同時に実行し、発電モータのモータケースには、ロータを平行移動させる油圧ポンプと油圧シリンダ（４９）、直線歯車（２６）、移動測定歯車（２７）、押しパイプと受け台（２４）、連動材バネ（２８）がモータケースの後蓋に配設され、押しパイプと受け台（２４）の受け台を後蓋外側に固定しボルト受け台パイプ蓋として配設し、押しボルトを緩める、または、締めるとした事で、押しパイプでロータを平行移動とし、または、押しボルトを取り外して油圧シリンダ（４９）で平行移動をさせるとしたボルト受け台パイプ蓋の側面には直線歯車（２６）を配設し、押しパイプ蓋には移動測定歯車（２７）を配設し双方の歯車を組み合わせて、押しパイプ蓋が移動することで連動材バネ（２８）を回転させてインバータボリュウムダイヤルを回転し周波数を変えるとし、電動ファン（５０）は後蓋に配設し、吸引空気方向指示板（５４）は前蓋内側に配設し、フイルタは前蓋の空気吸引口にフイルタを付ける、または、吸引口に配管を付け空気のゴミが無い所まで配管を伸ばすとし、ステータヨークは回転励磁コイルと、発電コイルと、同場所番号コイルと、隙間材（５７）と、空気誘導材（６１）とを備え、隙間材（５７）は、隙間材で固定されたステータヨークをモータケースに配設し隙間材（５７）と隙間材（５７）との空間を空気通路（５１）とし隙間材突起部に空気誘導材（６１）を配設として、平行移動ロータは、回転軸を固定する両ベアリングをベアリングケース内で滑らせて平行移動とし、または、中央穴あき扇型磁石（３７）、磁石ロータ固定金具、平行移動材と動力伝達溝と回転動力伝達板とでロータだけ平行移動、多角柱を使用してロータだけを平行移動とし、発電モータのロータは、ステータヨーク内にロータが格納された状態で後蓋側または前蓋側に平行移動させステータヨークをモータケースに固定し、ロータを平行移動しステータヨークからロータを引き出すことによってインバータの特定した出力周波数範囲内を少ない消費電力で低速から高速とした回転数と起電力の発電モータとし、発電モータに使用される回転軸ロータは、中央穴あき扇型磁石ロータ、磁石挿入鉄芯ロータ、電磁石ロータ、鉄芯ロータ、かご型鉄芯ロータ、永久磁石ロータから選択とし、発電モータの固定コイルは、２極発電モータ以外の４極発電モータと６極発電モータの固定コイルは、奇数番号が入力線回転励磁コイルとし偶数番号は発電コイルとし、または、奇数番号は入力線回転励磁コイルとし偶数番号は同場所番号コイルとして、２極発電モータの固定コイルは１番コイルと２番コイルとした同場所番号コイルとした各コイルを配設するスロットを回転軸方向から見て右回り通し番号の外側スロットに配設するコイルを発電コイルとし内側スロットに配設するコイルを回転励磁コイルとして、発電コイルと同場所番号コイルのコイル巻き数、又、同場所番号コイルの外側コイルと内側コイルを並列配線し発電コイルとしたコイル巻き数は入力線回転励磁コイル巻き数と同じコイル巻き数とするか、又は、やや少ないコイル巻き数とするか、半分のコイル巻き数として、直列配線出力線コイルと発電コイルのコイル巻き数を減らす事で、各コイルから出力した時の出力コイル励磁を弱めロータの回転に負荷とならない様にしたコイル配設とし、発電コイルが接続される端子台からの出力の仕方は記載した全発電モータに適用されるとし、発電モータに配設された各ＵＶＷ三相発電コイルは発電コイル個々の左右銅線を左出力線と右出力線とし、全コイルを単相発電とし番号別に各出力端子台で単相出力とするか、番号別の各端子台で三相ＵＶＷ各発電コイルの同方向出力線を三本束にして中性点とし、反対方向の出力線を各端子台で三相スター結線出力とするか、各端子台でスター結線された出力端子台を一箇所に集合させて集合端子台スター結線出力とするか、集合端子台でスター結線とした中性点を外し、集合端子台でデルタ結線としデルタ出力としても良いとし、また、鉄芯ロータ、かご型鉄芯ロータを内蔵した発電モータの三相直列配線出力線に三相コンデンサーを付けると少し消費電力が下げられるとして、出力端子台から出力した起電力を蓄電池電圧より少し高めの電圧とした交流を整流器に通して直流に変換し、直流を電線で蓄電池と変換機器に繋ぐとした蓄電池は、鉛蓄電池、リチュムイオン蓄電池、電気二重層キャパシター、とした急速充電と普通充電とを混合した蓄電池とし、直流電圧が高めの為に蓄電池に充電状態を保ちながら直流出力をインバータもしくは直流変換機を通して、ＤＣ−ＤＣまたはＤＣ−ＡＣとして１００Ｖ、２００Ｖ、３００Ｖ、４００Ｖに昇圧した直流か交流に変換した電気で、発電モータを回転駆動させているインバータに入電し発電モータを１台、又は、２台を連動回転させ出力端子台から出力した起電力を蓄電池電圧より少し高めの電圧とした交流を、整流器に戻すとした起電力の流れを作り循環起電力としたこと
（イ）前記（ア）に記載した全発電モータに適用するとした発電モータの前後とコイル方向は、発電モータの回転軸動力伝達軸側を前蓋側とし、固定コイル引き出し銅線を付けるステータヨーク側を回転軸方向から見ての左右方向とし、スロット番号とコイル番号を右回り通し番号とした記載、以後は発電モータの前後とコイルとスロットの番号と左右方向の説明文と、又、各発電モータの入力線回転励磁コイルと直列配線出力線コイルを左巻きコイルと記載したが、中性点から逆に電流を流すと記載したコイル巻き方向と逆方向巻きコイルとなり、入力線回転励磁コイルと直列配線出力線コイルとした両方コイルの入力線と出力線を中性点に変更し、配設されていた中性点を入力線回転励磁コイルと直列配線出力線コイルと変更すると右巻きコイルとなり、右巻きコイルとした発電モータも出来るとして、２極発電モータの分布巻きコイルを１番から２４番のスロットに配設し同場所番号コイルとし、外側コイルを発電コイルとし内側コイルを入力線回転励磁コイルとし、三相各ＵＶＷ入力線回転励磁内側１番コイルを左巻きコイルとして、三相各ＵＶＷ入力線回転励磁内側２番コイルを右巻きコイルとした配設は、三相各ＵＶＷ入力線回転励磁１番コイル巻き始め銅線を（１、２、３）入力線とし、三相入力線回転励磁２番コイル巻き始め銅線を（１、２、３）入力線とし、各コイル巻き終わり銅線を中性点（４、５、６）とし、発電コイルは各ＵＶＷ発電１番コイルと各ＵＶＷ発電２番コイルの左右銅線を左出力線（７、９、１１）と右出力線（８、１０、１２）としたこと
（ウ）２極発電モータの分布巻きコイルを１番からから３６番のスロットに配設、同場所番号コイルとし内側コイルを入力線回転励磁コイルとし外側コイルを発電コイルとし、三相ＵＶＷ各入力線回転励磁１番コイル巻き始め銅線を（１、２、３）入力線として左巻きコイル配設、三相ＵＶＷ各入力線回転励磁２番コイル巻き始め銅線を（１、２、３）入力線として右巻きコイル配設、三相ＵＶＷ各入力線回転励磁コイルの、コイル巻き終わり銅線を中性点（４、５、６）として、発電コイルは各ＵＶＷ発電１番コイルと各ＵＶＷ発電２番コイルの左右銅線を左出力線（７、９、１１）と右出力線（８、１０、１２）としたこと
（エ）４極発電モータの分布巻きコイルを１番から２４番のスロットとしてステータヨークに配設、奇数番号を入力線回転励磁コイルで偶数番号が発電コイルとした配設は、Ｕ線入力線回転励磁１番コイル巻き始め銅線を入力線（１）として左巻きコイルを配設し巻き終わり銅線を、３番コイルに左巻きコイルを配設し巻き終わり銅線をＵ中性点（４）とし、Ｕ発電コイルは２番コイルと４番コイルの左右銅線を左出力線（７）と右出力線（８）とし、Ｖ線入力線回転励磁１番コイル巻き始め銅線を入力線（２）とし左巻きコイル配設し巻き終わり銅線を、３番コイルに左巻きコイル配設し巻き終わり銅線をＶ中性点（５）とし、Ｖ発電コイルは２番コイルと４番コイルの左右銅線を左出力線（９）と右出力線（１０）とし、Ｗ入力線回転励磁１番コイル巻き始め銅線を入力線（３）とし左巻きコイル配設し巻き終わり銅線を、３番コイルに左巻きコイル配設し巻き終わり銅線をＷ中性点（６）とし、Ｗ発電コイルは２番コイルと４番コイルの左右銅線を左出力線（１１）と右出力線（１２）とした単相発電コイルとしたこと
（オ）４極発電モータの１相と３相が同巻きコイルで２相が逆巻きコイルとした分布巻きコイルを１番から４８番のスロットのステータヨークに配設、奇数番号コイルが入力線回転励磁コイルで偶数番号が同場所番号コイルとし、外側コイルを発電コイルとし内側コイルを直列配線出力線コイルとし、入力線回転励磁コイルと直列配線出力線コイルの１相と３相が左巻きコイルで２相が右巻きコイルとした配設は、Ｕ線入力線回転励磁１番コイル巻き始め１番スロットの銅線を入力線として左巻きコイル配設としコイル巻き終わり１１番のスロット銅線を、３番コイルに左巻きコイル配設としコイル巻き終わり３５番スロットの銅線をＵ中性点とし、Ｕ直列配線出力線２番コイル巻き始め１４番スロットの銅線を出力線として左巻きコイル配設としコイル巻き終わり銅線を、４番コイルに左巻きコイル配設としコイル巻き終わり４７番スロットの銅線をＵ同場所中性点とし、Ｕ発電コイルは２番コイルと４番コイルの左右銅線として１３番と３７番のスロット銅線を左出力線とし２４番と４８番のスロット銅線を右出力線として、Ｖ線入力線回転励磁１番コイル巻き始め１６番スロットの銅線を入力線として右巻きコイル配設とし巻き終わり６番のスロット銅線を、３番コイルに右巻きコイル配設とし巻き終わり３０番スロットの銅線をＶ中性点とし、Ｖ直列配線出力線２番コイル巻き始め２７番スロットの銅線を出力線として右巻きコイル配設としコイル巻き終わり銅線を、４番コイルに右巻きコイル配設としコイル巻き終わり４２番スロットの銅線をＶ同場所中性点とし、Ｖ発電コイルは２番コイルと４番コイルの左右銅線として１７番と４１番のスロット銅線を左出力線とし２８番と４番のスロット銅線を右出力線として、Ｗ線入力線回転励磁１番コイル巻き始め９番のスロット銅線を入力線として左巻きコイル配設としコイル巻き終わり１９番のスロット銅線を、３番コイルに左巻きコイル配設としコイル巻き終わり４３番のスロット銅線をＷ中性点とし、Ｗ直列配線出力線２番コイル巻き始め２２番のスロット銅線を出力線として左巻きコイル配設としコイル巻き終わり銅線を４番コイルに左巻きコイル配設としコイル巻き終わり７番のスロット銅線をＷ同場所中性点とし、Ｗ発電コイルは２番コイルと４番コイルの左右銅線として２１番と４５番のスロット銅線を左出力線とし３２番と８番のスロット銅線を右出力線としたこと
（カ）４極発電モータの分布巻きコイルを１番から４８番のスロットとしてステータヨークに配設、奇数番号コイルが入力線回転励磁コイルで偶数番号コイルが同場所番号コイルとし、外側コイルを発電コイルとし内側コイルを直列配線出力線コイルとし、入力線回転励磁コイルと直列配線出力線コイルを左巻きコイルとした配設は、Ｕ線入力線回転励磁１番コイル巻き始め銅線を入力線（１）として左巻きコイル配設としコイル巻き終わり銅線を、３番コイルに左巻きコイル配設としコイル巻き終わり銅線をＵ中性点（４）とし、Ｕ直列配線出力線２番コイル巻き始め銅線を出力線（１４）として左巻きコイル配設してコイル巻き終わり銅線を、４番コイルに左巻きコイル配設としコイル巻き終わり銅線をＵ同場所中性点（１７）とし、Ｕ発電コイルは２番コイルと４番コイルの左右銅線を左出力線（７）と右出力線（８）とし、Ｖ線入力線回転励磁１番コイル巻き始め銅線を入力線（２）として左巻きコイル配設としコイル巻き終わり銅線を、３番コイルに左巻きコイル配設としコイル巻き終わり銅線をＶ中性点（５）とし、Ｖ直列配線出力線２番コイル巻き始め銅線を出力線（１５）として左巻きコイル配設してコイル巻き終わり銅線を、４番コイルに左巻きコイル配設としコイル巻き終わり銅線をＶ同場所中性点（１８）とし、Ｖ発電コイルは２番コイルと４番コイルの左右銅線を左出力線（９）と右出力線（１０）とし、Ｗ線入力線回転励磁１番コイル巻き始め銅線を入力線（３）として左巻きコイル配設としコイル巻き終わり銅線を、３番コイルに左巻きコイル配設としコイル巻き終わり銅線をＷ中性点（６）とし、Ｗ直列配線出力線２番コイル巻き始め銅線を出力線（１６）として左巻きコイル配設としコイル巻き終わり銅線を、４番コイルに左巻きコイル配設としコイル巻き終わり銅線をＷ同場所中性点（１９）とし、発電コイルは２番コイルと４番コイルの左右銅線を左出力線（１１）と右出力線（１２）としたこと
（キ）６極発電モータの分布巻きコイルを１番から３６番のスロットとしステータヨークに配設、奇数番号が入力線回転励磁コイルで偶数番号が発電コイルとし、入力回転励磁コイルを左巻きコイルとした配設は、Ｕ線入力線回転励磁１番コイル巻き始め銅線を入力線（１）とし左巻きコイル配設してコイル巻き終わり銅線を、３番コイルに左巻きコイル配設してコイル巻き終わり銅線を、５番コイルに左巻きコイル配設してコイル巻き終わり銅線をＵ中性点（４）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設してコイル巻き終わり銅線を、３番コイルに左巻きコイル配設しコイル巻き終わり銅線を、５番コイルに左巻きコイル配設してコイル巻き終わり銅線をＶ中性点（５）とし、Ｖ発電コイルは２番コイルト４番コイルと６番コイルの左右銅線を左出力線（９）と右出力線（１０）とし、Ｗ線入力線回転励磁１番コイル巻き始め銅線を入力線（３）として左巻きコイル配設してコイル巻き終わり銅線を、３番コイルに左巻きコイル配設して巻き終わり銅線を、５番コイルに左巻きコイル配設して巻き終わり銅線をＷ中性点（６）とし、Ｗ発電コイルは２番コイルと４番コイルと６番コイルの左右銅線を左出力線（１１）と右出力線（１２）としたこと
（ク）６極発電モータの分布巻きコイルを１番から７２番のスロットとしステータヨークに配設、奇数番号が入力線回転励磁コイルで偶数番号が同場所番号コイルとし、外側コイルが発電コイルで内側コイルが直列配線出力線コイルとし、入力線回転励磁コイルと直列配線出力線コイルを左巻きコイルとした配設は、Ｕ線入力線回転励磁１番コイル巻き始め銅線を入力線（１）とし左巻きコイル配設しコイル巻き終わり銅線を、３番コイルに左巻きコイル配設しコイル巻き終わり銅線を、５番コイルに左巻きコイル配設しコイル巻き終わり銅線をＵ中性点（４）とし、Ｕ直列配線出力線２番コイル巻き始め銅線を出力線（１４）とし左巻きコイル配設しコイル巻き終わり銅線を、４番コイルに左巻きコイル配設しコイル巻き終わり銅線を、６番コイルに左巻きコイル配設し巻き終わり銅線をＵ同場所中性点（１７）とし、Ｕ発電コイルは２番コイルと４番コイルと６番コイルの左右銅線を左出力線（７）と右出力線（８）とし、Ｖ線入力線回転励磁１番コイル巻き始め銅線を入力線（２）とし左巻きコイル配設しコイル巻き終わり銅線を、３番コイルに左巻きコイル配設しコイル巻き終わり銅線を、５番コイルに左巻きコイル配設しコイル巻き終わり銅線をＶ中性点（５）とし、Ｖ直列配線出力線２番コイル巻き始め銅線を出力線（１５）とし左巻きコイル配設しコイル巻き終わり銅線を、４番コイルに左巻きコイル配設しコイル巻き終わり銅線を６番コイルに左巻きコイル配設しコイル巻き終わり銅線をＶ同場所中性点（１８）とし、Ｖ発電コイルは２番コイルと４番コイルと６番コイルの左右銅線を左出力線（９）と右出力線（１０）とし、Ｗ線入力線回転励磁１番コイル巻き始め銅線を入力線（３）とし左巻きコイル配設しコイル巻き終わり銅線を、３番コイルに左巻きコイル配設しコイル巻き終わり銅線を、５番コイルに左巻きコイル配設しコイル巻き終わり銅線をＷ中性点（６）とし、Ｗ直列配線出力線２番コイル巻き始め銅線を出力線（１６）としコイル巻き終わり銅線を、４番コイルに左巻きコイル配設しコイル巻き終わり銅線を、６番コイルに左巻きコイル配設しコイル巻き終わり銅線をＷ同場所中性点（１９）とし、Ｗ発電コイルは２番コイルと４番コイルと６番コイルの左右銅線を左出力線（１１）と右出力線（１２）としたこと
（ケ）６極発電モータの分布巻きコイルを１番から７２番のスロットとし、１相と３相が同巻きコイルとし２相が逆巻きコイルとしたステータヨークの配設とし、奇数番号が入力線回転励磁コイルとし偶数番号コイルが同場所番号コイルとし、外側コイルを発電コイルとし内側コイルを直列配線出力線コイルとし、１相と３相を左巻きコイルとし２相を右巻きコイルとした配設は、Ｕ線入力線回転励磁１番コイル巻き始め１番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり５９番スロットの銅線をＵ中性点とし、Ｕ直列配線出力線２番コイル巻き始め１４番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７１番スロットの銅線をＵ同場所中性点とし、Ｕ発電コイルは２番コイルと４番コイルと６番コイルの左右銅線とし１３番と３７番と６１番のスロットの銅線を左出力線とし２４番と４８番と７２番のスロットの銅線を右出力線として、Ｖ入力線回転励磁１番コイル巻き始め１６番スロット銅線を入力線とし右巻きコイル配設しコイル巻き終わり銅線を、５番コイルに右巻きコイル配設しコイル巻き終わり銅線を、３番コイルに右巻きコイル配設しコイル巻き終わり３０番スロットの銅線をＶ中性点とし、Ｖ直列配線出力線２番コイル巻き始め２７番スロットの銅線を出力線とし右巻きコイル配設しコイル巻き終わり銅線を、６番コイルに右巻きコイル配設しコイル巻き終わり銅線を、４番コイルに右巻きコイル配設しコイル巻き終わり４２番スロットの銅線をＶ同場所中性点とし、Ｖ発電コイルは２番コイルト４番コイルと６番コイルの左右銅線とし１７番と４１番と６５番のスロットの銅線を左出力線とし２８番と５２番と４番のスロットの銅線を右出力線として、Ｗ線入力線回転励磁１番コイル巻き始め９番スロットの銅線を入力線とし左巻きコイル配設しコイル巻き終わり銅線を、３番コイルに左巻きコイル配設しコイル巻き終わり銅線を、５番コイルに左巻きコイル配設しコイル巻き終わり６７番スロットの銅線をＷ中性点とし、Ｗ直列配線出力線２番コイル巻き始め２２番スロットの銅線を出力線とし左巻きコイル配設しコイル巻き終わり銅線を、４番コイルに左巻きコイル配設しコイル巻き終わり銅線を、６番コイルに左巻きコイル配設しコイル巻き終わり７番スロットの銅線をＷ同場所中性点とし、Ｗ発電コイルは２番コイルと４番コイルと６番コイルの左右銅線とし２１番と４５番と６９番のスロットの銅線を左出力線と３２番と５６番と８番のスロットの銅線を右出力線とした発電モータ
【請求項２】
（コ）請求項１に記載した発電モータを使用した増設は、奇数番号の入力線回転励磁コイルと偶数番号の発電コイル、または、奇数番号の入力線回転励磁コイルと偶数番号の同場所番号コイルとし、何台かで増設する発電モータを同じ極数とし固定コイル巻き方向も同じとした発電モータを増設とし、動力伝達回転軸側を同方向とし横一列に並べる配設とするか、２台を向かい合わせに回転軸をフランジで結合とした配設とするか、３台で三角形に配設し動力伝達回転軸側を同方向に向けて回転力を三角形の中心に集中させ余力とし使用するとして、発電モータの奇数番号が入力線回転励磁左巻きコイルとし、偶数番号が同場所番号コイルの外側コイルが発電コイルとし、内側コイルが直列配線出力線左巻きコイルとした発電モータ増設は、インバータ三相出力線を１番発電モータの入力線回転励磁コイルにスター、もしくは、デルタの結線とし、１番発電モータの直列配線出力線に付けた三相電線を２番発電モータの入力線回転励磁コイルに結線し、２番発電モータの直列配線出力線に付けた三相電線を３番発電モータの入力線回転励磁コイルに結線とした発電モータの回転軸に、タイミングベルト、プーリ、Ｖベルト、歯車、の回転を同調させる部材を配設し、増設した発電モータを連動させて回転位置のタイミングが外れない様にし、各発電コイルはスター結線かデルタ結線とし集合端子台から低電圧起電力が出力とし、２番発電モータと３番発電モータ入力線回転励磁コイルのスター、もしくは、デルタとした結線部から高電圧起電力が出力とし、または、１番発電モータの入力線に付けたインバータ出力線を外し、増設と発電モータ間の電線配線はそのままとし３番発電モータの回転軸を動力モータ、発電モータ、ガソリンまたは軽油のエンジン動力回転軸でプーリとＶベルトで３番発電モータの回転軸を回転させると、２番モータと１番モータとの回転を同調させる部材が必要ない回転とし、固定コイルのコイル巻き数の多い発電モータからコイル巻き数の少ない発電モータに起電力を流すと、コイル巻き数の多い発電モータにコイル巻き数の少ない発電モータが従う回転となりタイミングベルト無し回転とし、発電モータの磁石ロータと鉄芯ロータとの組み合わせでもタイミングベルトが必要ない回転とし、又、発電モータ固定コイルが入力線回転励磁コイルと発電コイルとした発電モータの増設は、複数増設した発電モータを順番に入力線回転励磁から入力線回転励磁へと三相電線でスター、もしくは、デルタとした結線とし順番に連結し、タイミングを合わせる回転同調部材を回転軸に配設し、何番の発電モータの回転軸を動力で回転させても増量発電が出来るとして、入力線回転励磁コイルの結線部からの出力は高電圧起電力とし、各発電コイルの出力は低電圧起電力とした出力線はスター結線とするかデルタ結線とした集合端子台出力とし、全部の配設した発電モータのロータを強磁力とし、または、１番発電モータから段々とロータの磁力を弱めていく発電モータ配設とし、強磁力ロータの入力線回転励磁コイルと直列配線出力線はデルタ結線とし、弱磁力ロータの入力線回転励磁コイルと直列配線出力線はスター結線としたこと
（サ）ステータヨークからロータを平行移動させるには、ロータを押し出す、または、ロータを引き出すとした平行移動とし、発電モータの回転軸ロータは定位置でステータヨークにロータが格納されているとするか、回転数か電圧かの発電モータの用途に合わせた所にステータヨークを平行移動固定しロータを出した状態とするか、ステータヨークを定位置とし回転軸ロータ全体を固定する両ベアリングの外側をベアリングケース内側で滑らせて平行移動させてロータを出すとするか、回転軸のロータを平行移動には、回転軸に平行移動長さとした多角形を回転軸に直接加工し動力伝達多角形として、ロータの中心も多角柱に加工したロータを多角面で滑らせて平行移動とするか、または、回転軸に直接加工しないで加工物を回転軸に配設は、平行移動長さで多角柱に加工した中心に穴を開け回転軸を圧入し動力伝達多角柱とし、ロータの中心に多角柱穴を加工し回転軸多角柱（５２）が入り多角柱面で滑るとしてロータを平行移動とし、後蓋側の動力伝達多角柱はロータより１０ｍｍ出すとし、出した多角柱は押しパイプ（５５）の中に入る部分とし、ステータヨークからロータ中心を多角柱に加工した電磁石ロータ、磁石挿入鉄芯ロータを押しパイプ（５５）で押してロータを平行移動としたこと
（シ）中央穴あき扇型磁石ロータのネオジム磁石を配設したロータ固定金具と加工は、回転軸にロータ定位置から極数に分割した所に平行移動距離の長さの動力伝達が入る溝（３９）を、回転軸の中心に対して垂直と平行に溝を加工し動力伝達板溝（３９）とし、磁石押さえめくれ防止材と動力伝達板を合体させてＴ型としＴ型動力伝達板めくれ防止材の回転軸側を動力伝達溝（４１）に入れ、溝と溝の間に分割パイプ（３３）を配設した分割パイプを押さえる様に円盤を配設した円盤は、前蓋側に空冷ファンと中央穴あき扇型磁石を固定する通しボルト穴を設けた溶接固定円盤（３８）として、分割パイプと溶接固定円盤とＴ型動力伝達板めくれ防止材を溶接固定（４２）し回転軸上を平行に滑る事を確認し、磁極数の分割部に中央穴あき扇型磁石を数枚配設し、後蓋側のロータ固定円盤（３４）で分割パイプを１０ｍｍ後蓋側に出した所を押さえる様にロータ固定円盤（３４）を配設し、ロータ固定円盤には通しボルト穴とＴ型動力伝達板めくれ防止材が入る外周側に下段が設けられており、通しボルト（３２）は溶接固定円盤前蓋側からボルトを差し込みロータ固定円盤ボルト穴に通し、ナットで締めてロータ固定ボルトとしナットは回り止めを施すとし、ロータ固定円盤（３４）の外周側下段に配設したＴ型動力伝達板めくれ防止材（３５）の先端をＶ字加工し、Ｖ字めくれ防止材をロータ固定円盤の下段外側から９０度回転軸側に曲げ、ロータ固定円盤とＶ字めくれ防止材に穴を開けボルトで固定しナット側を周り止めするとした回転軸ロータの前蓋側には、発電モータの内部空冷ファン（５３）が配設されファンは全発電モータの回転軸に配設とし、ロータ固定金具材はステンレス、または、少し磁石の吸引力に反応するステンレス材としても良いとしたこと
（ス）中央穴あき扇型磁石とステータヨークとの関係は、発電モータのステータヨークのスロットの長さが１５０ｍｍとし、ロータに配設した中央穴あき扇型磁石（３７）の厚さを１０ｍｍとして、１磁石極の配設枚数は１１枚配設の１５対１１とした比率がロータ中央穴あき扇型磁石と２００Ｖ入力線回転励磁コイルには１番相性が良い比率とし、ロータ製作時に必要な中央穴あき扇型磁石の枚数を予測出来るとし、また、ステータヨークの半径が７５ｍｍで中央穴あき扇型磁石の高さ（４０）が３５ｍｍとした磁石の高さで中心までの空間が４０ｍｍとし、磁石の高さと磁石底部の回転軸側からステータヨーク中心までの距離の比率を７対８とした配設が一番相性の良い比率とし回転軸の径を予測出来るとした発電モータ
【請求項３】
（セ）請求項１と請求項２の部品と加工物を内外に配設する発電モータケースは円筒を横にした外観とし、発電モータケースの前後両脇下に配設した固定ベースは、モータケースにアングルを平行と水平と外向きとしたアングル脚にフラットバーのリブを内側に補強して、モータケースと接する部分を溶接され発電モータの固定ベースとした発電モータケースは、前後蓋を固定するボルト穴開き角材をモータケース前後の外側円周上に均等に配設し、後蓋側モータケース内側に高さの低い空冷空気跳ね上げリング（６３）が溶接されて、他にはモータケースに１個、または２個の入力線と出力線が通る穴を開け、開けた穴上部に入力端子台と出力端子台を配設した穴は、ゴミ進入防止又は漏電防止のゴム縁を配設とし、発電モータの後蓋には２種類の蓋が有り前蓋と後蓋を同型とした蓋と、前蓋と違う後蓋はベアリングケースの配設だけ違う蓋とし、前後蓋はモータケース円筒の外径から３ｍｍほど外径が大きい蓋とし、蓋内側の外周側に縁を設けた縁は、モータケース円筒の外周側が入り込む縁とし、回転軸の中心が、ずれない様に蓋内側の外周側と縁の蓋側を溶接固定し発電モータの蓋とした蓋の縁には、モータケースに付けたボルト穴開き角材位置と同場所の縁にボルト穴開き角材が溶接されておりモータケースと蓋のボルトによる固定とし、蓋縁の縁内側とモータケースの入り込む外周部を旋盤加工とし、または、旋盤加工しないとした蓋内側から縁の幅は１０ｍｍから５０ｍｍとし、モータケース直径により縁幅を決めるとして、前蓋中央にベアリングが入るベアリングケースを配設し外周側を補強板で補強し、補強板と補強板の中間に空気吸い込み口を開けた前蓋とした前蓋の空気吸い込み口（４５）にフイルタを付け、または、口に配管を付けて空気のゴミが無い所まで配管を伸ばし、伸ばした配管に緩衝部を付けて中に磁石を配設し鉄粉などを吸着するとし、後蓋は前蓋と同じ蓋として開けた穴は空気排出口（５０）として、又は、開けた穴は空気排出強制電動ファン口（５０）として使用するとした後蓋のベアリングケースは、後蓋材から外側に貫通としたベアリングケース（２９）の長さはロータ平行移動距離と押しベアリング１個または２個の厚み寸法を足した長さとしたベアリングケース内側を旋盤加工とし、押しベアリング（３０）がベアリングケースの内側と押しベアリングの回転軸とが滑り押しベアリングが移動し、ロータ押しパイプ（３１）でロータを平行移動としたロータ押しパイプは、回転軸に手作業で挿入出来て回転軸に隙間が無いとした押しパイプは中央穴あき扇型磁石ロータの押しパイプとして、多角柱ロータの押しパイプ（５５）の長さは、ロータから後蓋側に多角柱を１０ｍｍ出した所をロータ定位置とし、多角柱を１０ｍｍ出した外側をパイプ内に収めて多角柱に隙間が無いとしたパイプ内径で押しベアリングまでの長さをロータ押しパイプの長さとし、ベアリング側のロータ押しパイプに付けた蓋は、回転軸径の穴を開けた平座金、または、リングを蓋とし、蓋と回転軸側のベアリング回転部に当たる所の蓋全周に突起部（５６）を作り、蓋突起部を押しベアリング（３０）回転軸側の回転部で押した力がロータ押しパイプ蓋と伝わりロータを平行移動としたこと
（ソ）後蓋側の押しベアリングを平行移動させるベアリング押しパイプ（２３）は、後蓋外側まで貫通させたベアリングケース内径に差し込むベアリング押しパイプとし、長さは平行移動距離の長さとしたベアリング押しパイプに蓋をし、ベアリング押しパイプ蓋（２３）とした蓋には中央にナット又はネジを切り、蓋外周に回り止めの切込みを設けたベアリング押しパイプ蓋の外側に、一回り大きい押しボルト受け台パイプを被せ、被せたパイプに蓋を付け蓋中央には押しボルト穴が開けてあるボルト受け台パイプ蓋（２４）とし、蓋の外側から押しボルトを通してベアリング押しパイプ蓋（２３）のナットに押しボルトを通し、ボルト受け台パイプ蓋の蓋内側に押しボルト回転力逃げ防止板（２１）を押しボルトに固定し、押しボルトを締めるとするか、緩めるとした事でベアリング押しパイプとロータを平行移動とし、ボルト受け台パイプ蓋は後蓋外側に固定されて、ボルト受け台パイプ蓋には、側面に直線歯車（２６）を配設し歯車上部のパイプを細長く切り取り、ベアリング押しパイプ蓋（２３）に付けた移動測定歯車（２７）を出し直線歯車に歯を組み合わせ、移動測定歯車に付けたバネ連動材（２８）でインバータボリュウムダイヤルと連結し、ベアリング押しパイプが平行移動するとダイヤルが回転しインバータ周波数が変えられるとし、又、押しボルトを取り外してベアリング押しパイプ蓋とボルト受け台パイプ蓋との中間に油圧シリンダ（４９）を配設し、油圧ポンプは回転軸の回転で油圧ポンプを回し、または、発電した電気で電動油圧ポンプを回転させ、油圧シリンダで押しベアリングを押すとした油圧ポンプに操作レーバを付けて、押し側、中立、戻す側、としたレーバ位置として油圧シリンダでロータを平行移動としたこと
（タ）発電モータケースに配設するステータヨーク薄板積層材の製作と固定は、薄板を製作時に入力線回転励磁コイルのスロットと発電コイルのスロットは同型とするか、やや小さいスロットとするか、半分の大きさのスロットとし製作したステータヨークを、隙間材の両端に突起部を設けた突起部で積層方向にステータヨークを挟み込み固定とした隙間材（５７）を、ステータヨークの外周側に均等に配設しステータヨークの長さとした隙間材に、何箇所か穴を開けた隙間材穴からステータヨークを溶接しステータヨークと隙間材を溶接固定とし、隙間材で固定されたステータヨークをモータケースに配設しモータケースとステータヨークとの隙間材と隙間材との空間を空気通路（５１）とし、モータケースの前蓋内側から円錐台で空気吸い込み口全体を外側から包む様に前蓋縁側の口外側からモータケース内側に広い薄板を円錐台に加工し、モータケース内側の回転軸に配設した内部空冷ファン下部まで差し込み固定とした空冷空気方向指示板（５４）とし、前蓋側回転軸に付けた内部空冷ファン（５３）の空気を後蓋側に流すとした流れを、空気誘導材（６１）で隙間材空気通路（５１）に誘導するとした空気誘導材も円錐台とし、スロットから出した銅線の半分の高さ、又は、銅線上から隙間材側に広い円錐台とし、隙間材突起部に固定とした円錐台の材質は薄い絶縁物とした発電モータ